(57)【要約】【課題】端末とビームを使って端末と通信を行うセカンダリ基地局との通信を制御可能な無線基地局装置を得ること。【解決手段】ビームを使って端末と通信を行う複数のセカンダリ基地局と通信可能なＭｅＮＢ基地局１であって、セカンダリ基地局の各々が識別情報により識別可能な各ビームパターンにより信号を送信するタイミングである送信タイミング、および、端末がセカンダリ基地局の各々から各ビームパターンで送信された信号の受信品質を測定する下り測定処理において、端末が受信品質を測定するタイミングである測定タイミング、を決定する決定部１１と、送信タイミングおよび測定タイミングを示す情報要素を生成する生成部１２と、情報要素を含むメッセージをセカンダリ基地局へ送信する通信部１３と、を備える。【選択図】図２
2018056602.tif 000002
【特許請求の範囲】
【請求項１】
ビームを使って端末と通信を行う複数のセカンダリ基地局と通信可能なマスタ基地局である無線基地局装置であって、
前記セカンダリ基地局の各々が識別情報により識別可能な各ビームパターンにより信号を送信するタイミングである送信タイミング、および、前記端末が前記セカンダリ基地局の各々から前記各ビームパターンで送信された前記信号の受信品質を測定する下り測定処理において、前記端末が受信品質を測定するタイミングである測定タイミング、を決定する決定部と、
前記送信タイミングおよび前記測定タイミングを示す情報要素を生成する生成部と、
前記情報要素を含むメッセージを前記セカンダリ基地局へ送信する通信部と、
を備えることを特徴とする無線基地局装置。
【請求項２】
ビームを使って端末と通信を行う複数のセカンダリ基地局と通信可能なマスタ基地局である無線基地局装置であって、
前記セカンダリ基地局の各々が識別情報により識別可能な各ビームパターンにより信号を送信するタイミングである送信タイミング、および、前記端末が前記セカンダリ基地局の各々から前記各ビームパターンで送信された前記信号の受信品質を測定する下り測定処理において、前記端末が受信品質を測定するタイミングである測定タイミング、の転送を前記セカンダリ基地局へ要求することを決定する決定部と、
前記送信タイミングおよび前記測定タイミングの転送要求を示す情報要素を生成する生成部と、
前記情報要素を含むメッセージを前記セカンダリ基地局へ送信する通信部と、
を備えることを特徴とする無線基地局装置。
【請求項３】
前記決定部は、前記各ビームパターンで送信された前記信号の前記端末における受信品質の測定結果である下り測定結果に基づいて、前記端末と通信を開始するセカンダリ基地局を決定し、また、前記下り測定結果を前記端末と通信を開始するセカンダリ基地局へ送信することを決定し、
前記生成部は、前記端末と通信を開始するセカンダリ基地局への通信開始指示、および、前記下り測定結果を示す情報要素を生成し、
前記通信部は、前記通信開始指示、および、前記下り測定結果を示す情報要素を含むメッセージを、前記端末と通信を開始するセカンダリ基地局へ送信する、
ことを特徴とする請求項１または２に記載の無線基地局装置。
【請求項４】
前記決定部は、前記各ビームパターンで送信された前記信号の前記端末における受信品質の測定結果である下り測定結果に基づいて、前記端末と通信を開始するセカンダリ基地局、および、前記端末と通信を開始するセカンダリ基地局で使用するビームパターンを決定し、
前記生成部は、前記端末と通信を開始するセカンダリ基地局への通信開始指示、および、前記使用するビームパターンを示す情報要素を生成し、
前記通信部は、前記通信開始指示、および、前記使用するビームパターンを示す情報要素を含むメッセージを、前記端末と通信を開始するセカンダリ基地局へ送信する、
ことを特徴とする請求項１または２に記載の無線基地局装置。
【請求項５】
前記決定部は、前記各ビームパターンで送信された前記信号の前記端末における受信品質の測定結果である下り測定結果に基づいて、前記端末と通信を行うセカンダリ基地局を切り替えることを決定し、また、前記下り測定結果を前記端末と通信を行っているセカンダリ基地局へ送信することを決定し、
前記生成部は、前記端末と通信を行うセカンダリ基地局の切り替え指示、および、前記下り測定結果を示す情報要素を生成し、
前記通信部は、前記切り替え指示、および、前記下り測定結果を示す情報要素を含むメッセージを、前記端末と通信を行っているセカンダリ基地局へ送信する、
ことを特徴とする請求項１から４のいずれか１つに記載の無線基地局装置。
【請求項６】
前記決定部は、前記各ビームパターンで送信された前記信号の前記端末における受信品質の測定結果である下り測定結果に基づいて、前記端末と通信を行うセカンダリ基地局を切り替えること、および、切り替え先のセカンダリ基地局を決定し、また、前記下り測定結果を前記切り替え先のセカンダリ基地局へ送信することを決定し、
前記生成部は、前記切り替え先のセカンダリ基地局への通信開始指示、および、前記下り測定結果を示す情報要素を生成し、
前記通信部は、前記通信開始指示、および、前記下り測定結果を示す情報要素を含むメッセージを、前記切り替え先のセカンダリ基地局へ送信する、
ことを特徴とする請求項１から４のいずれか１つに記載の無線基地局装置。
【請求項７】
前記決定部は、前記各ビームパターンで送信された前記信号の前記端末における受信品質の測定結果である下り測定結果に基づいて、前記端末と通信を行うセカンダリ基地局を切り替えること、切り替え先のセカンダリ基地局、および、前記切り替え先のセカンダリ基地局で使用するビームパターンを決定し、
前記生成部は、前記切り替え先のセカンダリ基地局への通信開始指示、および、前記使用するビームパターンを示す情報要素を生成し、
前記通信部は、前記通信開始指示、および、前記使用するビームパターンを示す情報要素を含むメッセージを、前記切り替え先のセカンダリ基地局へ送信する、
ことを特徴とする請求項１から４のいずれか１つに記載の無線基地局装置。
【請求項８】
前記決定部は、前記各ビームパターンで送信された前記信号の前記端末における受信品質の測定結果である下り測定結果を、前記端末と通信を行っているセカンダリ基地局へ送信することを決定し、
前記生成部は、前記下り測定結果を示す情報要素を生成し、
前記通信部は、前記下り測定結果を示す情報要素を含むメッセージを前記端末と通信を行っているセカンダリ基地局へ送信する、
ことを特徴とする請求項１または２に記載の無線基地局装置。
【請求項９】
ビームを使って端末と通信を行う複数のセカンダリ基地局と通信可能なマスタ基地局である無線基地局装置であって、
前記端末が信号を送信するタイミングである送信タイミング、および、前記セカンダリ基地局の各々が前記端末から送信された前記信号の受信品質を識別情報により識別可能な各ビームパターンにより測定する上り測定処理において、前記セカンダリ基地局の各々が前記信号の受信品質を測定する測定タイミング、を決定する決定部と、
前記送信タイミングおよび前記測定タイミングを示す情報要素を生成する生成部と、
前記情報要素を含むメッセージを前記セカンダリ基地局へ送信する通信部と、
を備えることを特徴とする無線基地局装置。
【請求項１０】
ビームを使って端末と通信を行う複数のセカンダリ基地局と通信可能なマスタ基地局である無線基地局装置であって、
前記端末が信号を送信するタイミングである送信タイミング、および、前記セカンダリ基地局の各々が前記端末から送信された前記信号の受信品質を識別情報により識別可能な各ビームパターンにより測定する上り測定処理において、前記セカンダリ基地局の各々が前記信号の受信品質を測定する測定タイミング、の転送を前記セカンダリ基地局に要求することを決定する決定部と、
前記送信タイミングおよび前記測定タイミングの転送要求を示す情報要素を生成する生成部と、
前記情報要素を含むメッセージを前記セカンダリ基地局へ送信する通信部と、
を備えることを特徴とする無線基地局装置。
【請求項１１】
前記決定部は、各セカンダリ基地局において前記各ビームパターンで受信された前記信号の受信品質の測定結果である上り測定結果に基づいて、前記端末と通信を開始するセカンダリ基地局を決定し、
前記生成部は、前記端末と通信を開始するセカンダリ基地局への通信開始指示を示す情報要素を生成し、
前記通信部は、前記通信開始指示を示す情報要素を含むメッセージを、前記端末と通信を開始するセカンダリ基地局へ送信する、
ことを特徴とする請求項９または１０に記載の無線基地局装置。
【請求項１２】
前記決定部は、前記セカンダリ基地局において前記各ビームパターンで受信された前記信号の受信品質の測定結果である上り測定結果に基づいて、前記端末と通信を開始するセカンダリ基地局、および、前記端末と通信を開始するセカンダリ基地局で使用するビームパターンを決定し、
前記生成部は、前記端末と通信を開始するセカンダリ基地局への通信開始指示、および、前記使用するビームパターンを示す情報要素を生成し、
前記通信部は、前記通信開始指示、および、前記使用するビームパターンを示す情報要素を含むメッセージを、前記端末と通信を開始するセカンダリ基地局へ送信する、
ことを特徴とする請求項９または１０に記載の無線基地局装置。
【請求項１３】
前記決定部は、前記セカンダリ基地局において前記各ビームパターンで受信された前記信号の受信品質の測定結果である上り測定結果に基づいて、前記端末と通信を行うセカンダリ基地局を切り替えることを決定し、また、前記上り測定結果を前記端末と通信を行っているセカンダリ基地局へ送信することを決定し、
前記生成部は、前記端末と通信を行うセカンダリ基地局の切り替え指示、および、前記上り測定結果を示す情報要素を生成し、
前記通信部は、前記切り替え指示、および、前記上り測定結果を示す情報要素を含むメッセージを、前記端末と通信を行っているセカンダリ基地局へ送信する、
ことを特徴とする請求項９から１２のいずれか１つに記載の無線基地局装置。
【請求項１４】
前記決定部は、前記セカンダリ基地局において前記各ビームパターンで受信された前記信号の受信品質の測定結果である上り測定結果に基づいて、前記端末と通信を行うセカンダリ基地局を切り替えること、および、切り替え先のセカンダリ基地局を決定し、
前記生成部は、前記切り替え先のセカンダリ基地局への通信開始指示を示す情報要素を生成し、
前記通信部は、前記通信開始指示を示す情報要素を含むメッセージを、前記切り替え先のセカンダリ基地局へ送信する、
ことを特徴とする請求項９から１２のいずれか１つに記載の無線基地局装置。
【請求項１５】
前記決定部は、前記セカンダリ基地局において前記各ビームパターンで受信された前記信号の受信品質の測定結果である上り測定結果に基づいて、前記端末と通信を行うセカンダリ基地局を切り替えること、切り替え先のセカンダリ基地局、および、前記切り替え先のセカンダリ基地局で使用するビームパターンを決定し、
前記生成部は、前記切り替え先のセカンダリ基地局への通信開始指示、および、前記使用するビームパターンを示す情報要素を生成し、
前記通信部は、前記通信開始指示、および、前記使用するビームパターンを示す情報要素を含むメッセージを、前記切り替え先のセカンダリ基地局へ送信する、
ことを特徴とする請求項９から１２のいずれか１つに記載の無線基地局装置。
【請求項１６】
前記決定部は、各セカンダリ基地局において前記各ビームパターンで受信された前記信号の受信品質の測定結果である上り測定結果の転送を前記各セカンダリ基地局に要求することを決定し、
前記生成部は、前記上り測定結果の転送要求を示す情報要素を生成し、
前記通信部は、前記上り測定結果の転送要求を示す情報要素を含むメッセージを前記各セカンダリ基地局へ送信する、
ことを特徴とする請求項９から１５のいずれか１つに記載の無線基地局装置。
【請求項１７】
前記決定部は、前記上り測定結果を、前記端末と通信を行っているセカンダリ基地局へ送信することを決定し、
前記生成部は、前記上り測定結果を示す情報要素を生成し、
前記通信部は、前記上り測定結果を示す情報要素を含むメッセージを前記端末と通信を行っているセカンダリ基地局へ送信する、
ことを特徴とする請求項１６に記載の無線基地局装置。
【請求項１８】
マスタ基地局と通信可能であって、ビームを使って端末と通信を行うセカンダリ基地局である無線基地局装置であって、
前記マスタ基地局と通信可能な複数の無線基地局装置の各々が識別情報により識別可能な各ビームパターンにより信号を送信するタイミングである送信タイミング、および、前記端末が前記無線基地局装置の各々から前記各ビームパターンで送信された前記信号の受信品質を測定する下り測定処理において、前記端末が受信品質を測定するタイミングである測定タイミング、を決定する決定部と、
前記送信タイミングおよび前記測定タイミングを示す情報要素を生成する生成部と、
前記情報要素を含むメッセージを前記マスタ基地局へ送信する通信部と、
を備えることを特徴とする無線基地局装置。
【請求項１９】
マスタ基地局と通信可能であって、ビームを使って端末と通信を行うセカンダリ基地局である無線基地局装置であって、
前記マスタ基地局と通信可能な複数の無線基地局装置の各々が識別情報により識別可能な各ビームパターンにより信号を送信するタイミングである送信タイミング、および、前記端末が前記無線基地局装置の各々から前記各ビームパターンで送信された前記信号の受信品質を測定する下り測定処理において、前記端末が受信品質を測定するタイミングである測定タイミング、の転送を前記マスタ基地局へ要求することを決定する決定部と、
前記送信タイミングおよび前記測定タイミングの転送要求を示す情報要素を生成する生成部と、
前記情報要素を含むメッセージを前記マスタ基地局へ送信する通信部と、
を備えることを特徴とする無線基地局装置。
【請求項２０】
前記決定部は、前記各ビームパターンで送信された前記信号の前記端末における受信品質の測定結果である下り測定結果に基づいて、前記端末との通信に使用するビームパターンを決定する、
ことを特徴とする請求項１８または１９に記載の無線基地局装置。
【請求項２１】
前記決定部は、前記各ビームパターンで送信された前記信号の前記端末における受信品質の測定結果である下り測定結果に基づいて、前記端末との通信に使用するビームパターンの変更、および、前記端末との通信に使用する変更後のビームパターンを決定する、
ことを特徴とする請求項１８，１９または２０に記載の無線基地局装置。
【請求項２２】
前記決定部は、前記各ビームパターンで送信された前記信号の前記端末における受信品質の測定結果である下り測定結果に基づいて、前記端末と通信を行う無線基地局装置を他の無線基地局装置に切り替えることを決定する、
ことを特徴とする請求項１８から２１のいずれか１つに記載の無線基地局装置。
【請求項２３】
前記決定部は、前記下り測定結果に基づいて、切り替え先の無線基地局装置を決定し、また、前記下り測定結果を前記セカンダリ基地局へ送信することを決定し、
前記生成部は、前記切り替え先のセカンダリ基地局への通信開始指示、および、前記下り測定結果を示す情報要素を生成し、
前記通信部は、前記通信開始指示、および、前記下り測定結果を示す情報要素を含むメッセージを、前記マスタ基地局経由で前記切り替え先の無線基地局装置へ送信する、
ことを特徴とする請求項２２に記載の無線基地局装置。
【請求項２４】
前記決定部は、前記下り測定結果に基づいて、切り替え先の無線基地局装置、および、前記切り替え先の無線基地局装置で使用するビームパターンを決定し、
前記生成部は、前記切り替え先のセカンダリ基地局への通信開始指示、および、前記使用するビームパターンを示す情報要素を生成し、
前記通信部は、前記通信開始指示、および、前記使用するビームパターンを示す情報要素を含むメッセージを、前記マスタ基地局経由で前記切り替え先の無線基地局装置へ送信する、
ことを特徴とする請求項２２に記載の無線基地局装置。
【請求項２５】
前記決定部は、前記各ビームパターンで送信された前記信号の前記端末における受信品質の測定結果である下り測定結果の転送を前記マスタ基地局へ要求することを決定し、
前記生成部は、前記下り測定結果の転送要求を示す情報要素を生成し、
前記通信部は、前記下り測定結果の転送要求を示す情報要素を含むメッセージを前記マスタ基地局へ送信する、
ことを特徴とする請求項１８から２４のいずれか１つに記載の無線基地局装置。
【請求項２６】
マスタ基地局と通信可能であって、ビームを使って端末と通信を行うセカンダリ基地局である無線基地局装置であって、
前記端末が信号を送信するタイミングである送信タイミング、および、前記無線基地局装置の各々が前記端末から送信された前記信号の受信品質を識別情報により識別可能な各ビームパターンにより測定する上り測定処理において、前記無線基地局装置の各々が前記信号の受信品質を測定する測定タイミング、を決定する決定部と、
前記送信タイミングおよび前記測定タイミングを示す情報要素を生成する生成部と、
前記情報要素を含むメッセージを前記マスタ基地局へ送信する通信部と、
を備えることを特徴とする無線基地局装置。
【請求項２７】
マスタ基地局と通信可能であって、ビームを使って端末と通信を行うセカンダリ基地局である無線基地局装置であって、
前記端末が信号を送信するタイミングである送信タイミング、および、前記無線基地局装置の各々が前記端末から送信された前記信号の受信品質を識別情報により識別可能な各ビームパターンにより測定する上り測定処理において、前記無線基地局装置の各々が前記信号の受信品質を測定する測定タイミング、の転送を前記マスタ基地局へ要求することを決定する決定部と、
前記送信タイミングおよび前記測定タイミングの転送要求を示す情報要素を生成する生成部と、
前記情報要素を含むメッセージを前記マスタ基地局へ送信する通信部と、
を備えることを特徴とする無線基地局装置。
【請求項２８】
前記上り測定処理を行う測定部、
を備えることを特徴とする請求項２６または２７に記載の無線基地局装置。
【請求項２９】
前記測定部は、前記測定タイミングに基づいて前記上り測定処理を行う、
を備えることを特徴とする請求項２８に記載の無線基地局装置。
【請求項３０】
前記決定部は、前記測定部における前記上り測定処理の測定結果である上り測定結果に基づいて、前記端末との通信に使用するビームパターンを決定する、
ことを特徴とする請求項２８または２９に記載の無線基地局装置。
【請求項３１】
前記決定部は、前記測定部における前記上り測定処理の測定結果である上り測定結果に基づいて、前記端末との通信に使用するビームパターンの変更、および、前記端末との通信に使用する変更後のビームパターンを決定する、
ことを特徴とする請求項２８，２９または３０に記載の無線基地局装置。
【請求項３２】
前記決定部は、前記測定部における前記上り測定処理の測定結果である上り測定結果に基づいて、前記端末と通信を行う無線基地局装置を他の無線基地局装置に切り替えることを決定する、
ことを特徴とする請求項２８から３１のいずれか１つに記載の無線基地局装置。
【請求項３３】
前記決定部は、前記上り測定結果に基づいて、切り替え先の無線基地局装置を決定し、
前記生成部は、前記切り替え先のセカンダリ基地局への通信開始指示を示す情報要素を生成し、
前記通信部は、前記通信開始指示を示す情報要素を含むメッセージを、前記マスタ基地局経由で前記切り替え先の無線基地局装置へ送信する、
ことを特徴とする請求項３２に記載の無線基地局装置。
【請求項３４】
前記決定部は、前記上り測定結果に基づいて、切り替え先の無線基地局装置、および、前記切り替え先の無線基地局装置で使用するビームパターンを決定し、
前記生成部は、前記切り替え先のセカンダリ基地局への通信開始指示、および、前記使用するビームパターンを示す情報要素を生成し、
前記通信部は、前記通信開始指示、および、前記使用するビームパターンを示す情報要素を含むメッセージを、前記マスタ基地局経由で前記切り替え先の無線基地局装置へ送信する、
ことを特徴とする請求項３２に記載の無線基地局装置。
【請求項３５】
前記決定部は、前記測定部における前記上り測定処理の測定結果である上り測定結果を前記マスタ基地局へ送信することを決定し、
前記生成部は、前記上り測定結果を示す情報要素を生成し、
前記通信部は、前記上り測定結果を示す情報要素を含むメッセージを前記マスタ基地局へ送信する、
ことを特徴とする請求項２８から３４のいずれか１つに記載の無線基地局装置。
【請求項３６】
前記決定部は、他の無線基地局装置の上り測定結果の転送を前記マスタ基地局へ要求することを決定し、
前記生成部は、前記上り測定結果の転送要求を示す情報要素を生成し、
前記通信部は、前記上り測定結果の測定要求を示す情報要素を含むメッセージを前記マスタ基地局へ送信する、
ことを特徴とする請求項３５に記載の無線基地局装置。
【請求項３７】
ビームを使って通信を行う複数のセカンダリ基地局およびマスタ基地局と通信可能な端末であって、
前記マスタ基地局または前記セカンダリ基地局が、前記セカンダリ基地局の各々が識別情報により識別可能な各ビームパターンにより信号を送信するタイミングである送信タイミング、および、前記端末が前記セカンダリ基地局の各々から前記各ビームパターンで送信された前記信号の受信品質を測定する下り測定処理において、前記端末が受信品質を測定するタイミングである測定タイミング、を決定した場合に、
前記測定タイミングに基づいて、前記セカンダリ基地局から送信された前記信号の受信品質を測定する、
ことを特徴とする端末。
【請求項３８】
ビームを使って通信を行う複数のセカンダリ基地局およびマスタ基地局と通信可能な端末であって、
前記マスタ基地局または前記セカンダリ基地局が、前記端末が信号を送信するタイミングである送信タイミング、および、前記セカンダリ基地局の各々が前記端末から送信された前記信号の受信品質を識別情報により識別可能な各ビームパターンにより測定する上り測定処理において、前記セカンダリ基地局の各々が前記信号の受信品質を測定する測定タイミング、を決定した場合に、
前記送信タイミングに基づいて、前記信号を送信する、
ことを特徴とする端末。
【発明の詳細な説明】
【技術分野】
【０００１】
本発明は、無線通信システムを構成し、端末と通信を行う無線基地局装置および端末に関する。
【背景技術】
【０００２】
近年、携帯電話端末の普及、市場拡大、サービスの多様化が進んでいる。３ＧＰＰ（3rd  Generation  Partnership  Project）では、高速大容量通信の実現を目的とした、第４世代移動体通信技術に向けた発展型の無線アクセス技術である、ＬＴＥ（Long−Term  Evolution）およびＬＴＥ−Ａｄｖａｎｃｅｄの標準化が行われている。ＬＴＥ−Ａｄｖａｎｃｅｄでは、ＤＣ（Dual  Connectivity）と呼ばれる新しい機能が含まれる見込みである。ＤＣは、モビリティおよび無線リソース管理を低周波数帯基地局が担い、高周波数帯基地局はユーザデータ通信のみを担うという、大容量通信実現を目的とした機能である。低周波数帯基地局はＭｅＮＢ（Master  e  Node  B）、高周波数帯基地局はＳｅＮＢ（Secondary  e  Node  B）と称されている。
【０００３】
通信容量を更に増やすため、将来、より高い周波数帯を基地局、特にＳｅＮＢで利用することが各種団体、企業で想定されている。高周波数帯ほど電波伝搬損失が大きいため、損失補償を目的として、ＳｅＮＢでのビームフォーミング機能の実現が検討されている。ビームフォーミング機能では、ごく短い時間単位、例えば０．１ｍｓでアンテナ向きを変更可能なサブアレーアンテナが使用される。ＳｅＮＢでは、サブアレーアンテナを使用した場合、通信相手の端末で高利得が得られるようにアンテナ向きを適宜調整し、良好な通信路での通信を実現できる。
【０００４】
下記非特許文献１には、ＤＣについての概要が記されている。また、下記非特許文献２には、将来、より高い周波数帯を利用することを想定した、基地局でのビームフォーミング機能の概要が記されている。
【先行技術文献】
【非特許文献】
【０００５】
【非特許文献１】3GPP  TR  36.842  V12.0.0  (2013-12)  3rd  Generation  Partnership  Project;  Technical  Specification  Group  Radio  Access  Network;  Evolved  Universal  Terrestrial  Radio  Access  Network  (E-UTRAN);  Study  on  Small  Cell  enhancements  for  E-UTRA  and  E-UTRAN;  Higher  layer  aspects  (Release  12)
【非特許文献２】ITU  Document  5D/TEMP/390-E
【発明の概要】
【発明が解決しようとする課題】
【０００６】
しかしながら、現在の標準規格では、ＳｅＮＢでのビームフォーミング機能は想定されていない。現在の標準規格のみではビームフォーミング機能の実現に不十分な点があり、その１つがビームによる通信開始、維持の際の基地局間メッセージのやりとりである。基地局間メッセージのやりとりが規定されていないため、ＳｅＮＢ間において、サブアレーアンテナにより形成されるビームと、ビームを使って通信を行う端末との対応付けに課題が生じる。また、ＳｅＮＢでのビームによる通信開始、維持の際の処理が定まらない。
【０００７】
ＳｅＮＢでは、サブアレーアンテナを使用する場合、セクタアンテナを使用する場合よりも短い時間単位でアンテナ向きを変更可能である。また、既存の方法、例えば、Ｍｅａｓｕｒｅｍｅｎｔ  Ｃｏｎｆｉｇによるパイロット信号測定指示および測定結果に基づく接続先セルの選択による方法と比較すると、時間軸や接続先セルの候補数が膨大となり、ＳｅＮＢにおいて適切にビームと端末との対応付けを行うことが難しい。
【０００８】
ＳｅＮＢがセクタアンテナを使用する現在の通信では、パイロット信号の送信周期はｍｓオーダーの一定周期に規定されており、端末は、Ｍｅａｓｕｒｅｍｅｎｔ  Ｇａｐの数ｍｓの間でパイロット信号を測定する。一方、ＳｅＮＢでサブアレーアンテナを使用する場合、ＳｅＮＢにおいてある時間ではある向きでパイロット信号を送信していたが、μｓオーダーのごく短い時間後には別の向きで送信することがあり得るため、端末でのパイロット信号の測定が困難となる。
【０００９】
また、セクタアンテナを使用する通信では、１つのＳｅＮＢで形成可能なセルは多くて数個であり、セルの単位でＩＤを設けて端末に識別させることが可能であるが、サブアレーアンテナを使用する通信では、サブアレーアンテナ毎、サブアレーアンテナの向き毎、または時間毎に異なるＩＤを設けて端末に識別させることが想定される。
【００１０】
本発明は、上記に鑑みてなされたものであって、端末とビームを使って端末と通信を行うセカンダリ基地局との通信を制御可能な無線基地局装置を得ることを目的とする。
【課題を解決するための手段】
【００１１】
上述した課題を解決し、目的を達成するために、本発明は、ビームを使って端末と通信を行う複数のセカンダリ基地局、もしくはそのセカンダリ基地局と通信可能なマスタ基地局になり得る、無線基地局装置である。無線基地局装置は、セカンダリ基地局の各々が識別情報により識別可能な各ビームパターンにより信号を送信するタイミングである送信タイミング、および、端末がセカンダリ基地局の各々から各ビームパターンで送信された信号の受信品質を測定する下り測定処理において、端末が受信品質を測定するタイミングである測定タイミング、を決定する決定部を備える。また、送信タイミングおよび測定タイミングを示す情報要素を生成する生成部を備える。また、情報要素を含むメッセージをセカンダリ基地局へ送信する通信部を備えることを特徴とする。
【発明の効果】
【００１２】
本発明によれば、端末とビームを使って端末と通信を行うセカンダリ基地局との通信を制御できる、という効果を奏する。
【図面の簡単な説明】
【００１３】
【図１】実施の形態１にかかる無線通信システムの構成例を示す図
【図２】実施の形態１にかかるＭｅＮＢ基地局の構成例を示すブロック図
【図３】実施の形態１にかかるＳｅＮＢ基地局の構成例を示すブロック図
【図４】実施の形態１にかかるＭｅＮＢ基地局およびＳｅＮＢ基地局のハードウェア構成を示す図
【図５】実施の形態１にかかる下り測定処理において、ＭｅＮＢ基地局が複数のＳｅＮＢ基地局から通信を開始するＳｅＮＢ基地局を決定し、ＳｅＮＢ基地局が使用するビームパターンを決定する処理を示すシーケンス図
【図６】実施の形態１にかかる下り測定処理において、ＭｅＮＢ基地局が複数のＳｅＮＢ基地局から通信を開始するＳｅＮＢ基地局、使用するビームパターンを決定する処理を示すシーケンス図
【図７】実施の形態１にかかる上り測定処理において、ＭｅＮＢ基地局が複数のＳｅＮＢ基地局から通信を開始するＳｅＮＢ基地局を決定し、ＳｅＮＢ基地局が使用するビームパターンを決定する処理を示すシーケンス図
【図８】実施の形態１にかかる上り測定処理において、ＭｅＮＢ基地局が複数のＳｅＮＢ基地局から通信を開始するＳｅＮＢ基地局、使用するビームパターンを決定する処理を示すシーケンス図
【図９】実施の形態２にかかる下り測定処理において、ＳｅＮＢ基地局がビームパターンの変更要否を決定する処理を示すシーケンス図
【図１０】実施の形態２にかかる上り測定処理において、ＳｅＮＢ基地局がビームパターンの変更要否を決定する処理を示すシーケンス図
【図１１】実施の形態３にかかる下り測定処理において、ＭｅＮＢ基地局がビームを使って端末と通信を行うＳｅＮＢ基地局を切り替えること、切り替え先のＳｅＮＢ基地局を決定し、切り替え先のＳｅＮＢ基地局が使用するビームパターンを決定する処理を示すシーケンス図
【図１２】実施の形態３にかかる下り測定処理において、ＭｅＮＢ基地局がビームを使って端末と通信を行うＳｅＮＢ基地局を切り替えること、切り替え先のＳｅＮＢ基地局、切り替え先のＳｅＮＢ基地局で使用するビームパターンを決定する処理を示すシーケンス図
【図１３】実施の形態３にかかる上り測定処理において、ＭｅＮＢ基地局がビームを使って端末と通信を行うＳｅＮＢ基地局を切り替えること、切り替え先のＳｅＮＢ基地局を決定し、切り替え先のＳｅＮＢ基地局が使用するビームパターンを決定する処理を示すシーケンス図
【図１４】実施の形態３にかかる上り測定処理において、ＭｅＮＢ基地局がビームを使って端末と通信を行うＳｅＮＢ基地局を切り替えること、切り替え先のＳｅＮＢ基地局、切り替え先のＳｅＮＢ基地局で使用するビームパターンを決定する処理を示すシーケンス図
【図１５】実施の形態３にかかる下り測定処理において、ＭｅＮＢ基地局がビームを使って端末と通信を行うＳｅＮＢ基地局を切り替えることを決定し、切り替え元である現在端末と通信を行っているＳｅＮＢ基地局が切り替え先のＳｅＮＢ基地局を決定し、切り替え先のＳｅＮＢ基地局が使用するビームパターンを決定する処理を示すシーケンス図
【図１６】実施の形態３にかかる下り測定処理において、ＭｅＮＢ基地局がビームを使って端末と通信を行うＳｅＮＢ基地局を切り替えることを決定し、切り替え元である現在端末と通信を行っているＳｅＮＢ基地局が切り替え先のＳｅＮＢ基地局、切り替え先のＳｅＮＢ基地局で使用するビームパターンを決定する処理を示すシーケンス図
【図１７】実施の形態３にかかる上り測定処理において、ＭｅＮＢ基地局がビームを使って端末と通信を行うＳｅＮＢ基地局を切り替えることを決定し、切り替え元である現在端末と通信を行っているＳｅＮＢ基地局が切り替え先のＳｅＮＢ基地局を決定し、切り替え先のＳｅＮＢ基地局が使用するビームパターンを決定する処理を示すシーケンス図
【図１８】実施の形態３にかかる上り測定処理において、ＭｅＮＢ基地局がビームを使って端末と通信を行うＳｅＮＢ基地局を切り替えることを決定し、切り替え元である現在端末と通信を行っているＳｅＮＢ基地局が切り替え先のＳｅＮＢ基地局、切り替え先のＳｅＮＢ基地局で使用するビームパターンを決定する処理を示すシーケンス図
【図１９】実施の形態３にかかる下り測定処理において、現在ビームを使って端末と通信を行っているＳｅＮＢ基地局が、ビームを使って端末と通信を行うＳｅＮＢ基地局を切り替えること、切り替え先のＳｅＮＢ基地局を決定し、切り替え先のＳｅＮＢ基地局が使用するビームパターンを決定する処理を示すシーケンス図
【図２０】実施の形態３にかかる下り測定処理において、現在ビームを使って端末と通信を行っているＳｅＮＢ基地局が、ビームを使って端末と通信を行うＳｅＮＢ基地局を切り替えること、切り替え先のＳｅＮＢ基地局、切り替え先のＳｅＮＢ基地局で使用するビームパターンを決定する処理を示すシーケンス図
【図２１】実施の形態３にかかる上り測定処理において、現在ビームを使って端末と通信を行っているＳｅＮＢ基地局が、ビームを使って端末と通信を行うＳｅＮＢ基地局を切り替えること、切り替え先のＳｅＮＢ基地局を決定し、切り替え先のＳｅＮＢ基地局が使用するビームパターンを決定する処理を示すシーケンス図
【図２２】実施の形態３にかかる上り測定処理において、現在ビームを使って端末と通信を行っているＳｅＮＢ基地局が、ビームを使って端末と通信を行うＳｅＮＢ基地局を切り替えること、切り替え先のＳｅＮＢ基地局、切り替え先のＳｅＮＢ基地局で使用するビームパターンを決定する処理を示すシーケンス図
【発明を実施するための形態】
【００１４】
以下に、本発明の実施の形態にかかる無線基地局装置および端末を図面に基づいて詳細に説明する。なお、この実施の形態によりこの発明が限定されるものではない。
【００１５】
実施の形態１．
図１は、本発明の実施の形態１にかかる無線通信システム１００の構成例を示す図である。無線通信システム１００は、低周波数帯基地局であるマスタ基地局のＭｅＮＢ基地局１と、ＭｅＮＢ基地局１と有線で通信を行う高周波数帯基地局であるセカンダリ基地局のＳｅＮＢ基地局２ａ，２ｂ，２ｃと、ＭｅＮＢ基地局１およびＳｅＮＢ基地局２ａ，２ｂ，２ｃと無線で通信を行う端末３と、から構成される。マスタ基地局のＭｅＮＢ基地局１およびセカンダリ基地局のＳｅＮＢ基地局２ａ，２ｂ，２ｃは、無線基地局装置である。ＭｅＮＢ基地局１は、自局が形成するセル４内に存在する複数のＳｅＮＢ基地局２ａ〜２ｃと有線で接続して通信を行い、自局が形成するセル４内に存在する端末３と無線で接続して通信を行う。ＳｅＮＢ基地局２ａ〜２ｃは、サブアレーアンテナにより自局が形成するビームが届く範囲に存在する端末３と無線で通信を行う。
【００１６】
ＳｅＮＢ基地局２ａ〜２ｃは、サブアレーアンテナによって複数のビームパターンによるビームを形成することができる。ＳｅＮＢ基地局２ａ〜２ｃで形成されるビームのビームパターンは、サブアレーアンテナ毎、サブアレーアンテナの向き毎、時間毎、またはこれらを組み合わせて設定された識別情報であるＩＤ（IDentification）で識別することができる。そのため、ＳｅＮＢ基地局２ａ〜２ｃでは、自局から送信した各ビームパターンでの下り信号について端末３で受信品質を測定した下り測定結果について、各測定結果が各ビームパターン別に判別できるものであれば、下り測定結果に基づいて、複数のビームパターンの中から、端末３との通信に使用する最適なビームパターンを選択することができる。または、ＳｅＮＢ基地局２ａ〜２ｃでは、端末３から送信された上り信号を各ビームパターンで受信した際の受信品質を測定した上り測定結果について、各測定結果が各ビームパターン別に判別できるものであれば、上り測定結果に基づいて、複数のビームパターンの中から、端末３との通信に使用する最適なビームパターンを選択することができる。ＳｅＮＢ基地局２ａ〜２ｃでは、使用するサブアレーアンテナ、サブアレーアンテナの向き、時間、またはこれらの組み合わせによって、形成するビームの指向性、振幅、位相などを変えることができ、ビームの指向性、振幅、位相などが異なる複数のビームパターンを得ることができる。各ビームパターンに１つのＩＤを対応付けることで、ＩＤによってビームパターンを識別することができる。
【００１７】
端末３での下り信号の下り測定処理およびＳｅＮＢ基地局２ａ〜２ｃでの上り信号の上り測定処理における信号の測定方法は、パイロット信号を測定する従来と同様の方法でよいが、他の方法を用いてもよい。
【００１８】
図２は、実施の形態１にかかるＭｅＮＢ基地局１の構成例を示すブロック図である。ＭｅＮＢ基地局１は、どのＳｅＮＢ基地局２ａ〜２ｃでビームによる通信を開始させるか、ＳｅＮＢ基地局２ａ〜２ｃでどのビームで通信を開始させるか、を決定し、また、端末３でいつ下り信号を測定させるか、端末３でどのＳｅＮＢ基地局２ａ〜２ｃのどのビームの下り信号を測定させるか、ＳｅＮＢ基地局２ａ〜２ｃでいつ下り信号を送信させるか、を決定し、また、端末３でいつ上り信号を送信させるか、ＳｅＮＢ基地局２ａ〜２ｃでいつ上り信号を測定させるか、ＳｅＮＢ基地局２ａ〜２ｃでどのビームで上り信号を測定させるか、を決定する決定部１１と、決定部１１で決定された情報、端末３から取得した下り測定結果、および、ＳｅＮＢ基地局２ａ〜２ｃから取得した上り測定結果、を送信するためのＩＥ（Information  Elements）である情報要素を生成する生成部１２と、生成部１２で生成された情報要素を含むメッセージをＳｅＮＢ基地局２ａ〜２ｃまたは端末３へ送信する通信部１３と、端末３との通信においてビームを形成するサブアレーアンテナ１５と、を備える。
【００１９】
図３は、実施の形態１にかかるＳｅＮＢ基地局２ａの構成例を示すブロック図である。ＳｅＮＢ基地局２ａ〜２ｃは同様の構成のため、ここでは、ＳｅＮＢ基地局２ａを用いて説明する。ＳｅＮＢ基地局２ａは、どのビームで通信を開始するか、を決定し、また、端末３でいつ下り信号を測定させるか、端末３でどのＳｅＮＢ基地局２ａ〜２ｃのどのビームの下り信号を測定させるか、ＳｅＮＢ基地局２ａ〜２ｃでいつ下り信号を送信するか、を決定し、また、端末３でいつ上り信号を送信させるか、ＳｅＮＢ基地局２ａ〜２ｃでどのビームで上り信号を測定するか、ＳｅＮＢ基地局２ａ〜２ｃでいつ上り信号を測定するか、を決定する決定部２１と、決定部２１で決定された情報、ビームパターンについての識別情報、および、自局で測定した上り信号の上り測定結果、を送信するための情報要素を生成する生成部２２と、生成部２２で生成された情報要素を含むメッセージをＭｅＮＢ基地局１または端末３へ送信する通信部２３と、端末３から送信された上り信号について、サブアレーアンテナ２５毎、またはサブアレーアンテナ２５向き毎、または時間毎により識別情報で識別可能な各アンテナパターンで受信品質を測定する測定部２４と、端末３との通信においてビームを形成するサブアレーアンテナ２５と、を備える。
【００２０】
無線通信システム１００では、ＭｅＮＢ基地局１の決定部１１またはＳｅＮＢ基地局２ａ〜２ｃの決定部２１のいずれかは、下り信号の受信品質を端末３で測定する下り測定処理において、ＳｅＮＢ基地局２ａ〜２ｃの各々が識別情報により識別可能な各ビームパターンにより下り信号を送信するタイミングである送信タイミングを決定する。また、ＭｅＮＢ基地局１の決定部１１またはＳｅＮＢ基地局２ａ〜２ｃの決定部２１のいずれかは、端末３がＳｅＮＢ基地局２ａ〜２ｃの各々から各ビームパターンで送信された下り信号の受信品質を測定する下り測定処理において、端末３が受信品質を測定するタイミングである測定タイミングを決定する。ここで、下り測定処理の送信タイミングとは、例えば、ＳｅＮＢ基地局２ａ〜２ｃにおいて、１０パターンのビームパターンで下り信号を送信可能な場合、１０パターンのビームパターンで下り信号を送信するときの各々の開始タイミングである。送信タイミングの指示は、各１０パターンでの送信を開始する１０パターン分のタイミングでもよいし、最初のビームパターンで送信を開始するタイミングおよび次のビームパターンへの切り替え時間、すなわち１つのビームパターンの送信時間の情報でもよい。なお、ＳｅＮＢ基地局２ａ〜２ｃで使用するビームパターンの順番を共通にしてもよい。また、下り測定処理の測定タイミングとは、例えば、ＳｅＮＢ基地局２ａ〜２ｃが１０パターンのビームパターンで下り信号を送信する場合の最初のビームパターンで送信を開始するタイミングおよび１０パターンのビームパターンによる下り信号の送信が終了するタイミングに対応した、端末３における測定開始および終了のタイミングである。測定タイミングの指示は、ＳｅＮＢ基地局２ａ〜２ｃが１０パターンのビームパターンによる下り信号の送信開始および終了までの期間の情報でもよいし、１０パターンの各々のビームパターンについての送信開始および終了までの期間の情報でもよい。測定タイミングの指示において、１０パターンの各々のビームパターンの送信開始および終了までの期間の情報には、各ビームパターンに対応したＩＤの情報を追加してもよい。
【００２１】
また、無線通信システム１００では、ＭｅＮＢ基地局１の決定部１１またはＳｅＮＢ基地局２ａ〜２ｃの決定部２１のいずれかは、上り信号の受信品質をＳｅＮＢ基地局２ａ〜２ｃで測定する上り測定処理において、端末３が上り信号を送信するタイミングである送信タイミングを決定する。また、ＭｅＮＢ基地局１の決定部１１またはＳｅＮＢ基地局２ａ〜２ｃの決定部２１のいずれかは、ＳｅＮＢ基地局２ａ〜２ｃの各々が端末３から送信された上り信号の受信品質を識別情報により識別可能な各ビームパターンにより測定する上り測定処理において、ＳｅＮＢ基地局２ａ〜２ｃの各々が上り信号の受信品質を測定するタイミングである測定タイミングを決定する。ここで、上り測定処理の送信タイミングとは、例えば、ＳｅＮＢ基地局２ａ〜２ｃにおいて１０パターンのビームパターンで上り信号を受信する場合の最初のビームパターンで受信を開始するタイミングおよび１０パターンのビームパターンによる上り信号の受信が終了するタイミングに対応した、端末３における上り信号の送信開始および終了のタイミングである。送信タイミングの指示は、ＳｅＮＢ基地局２ａ〜２ｃが１０パターンのビームパターンによる上り信号の受信開始および終了までの期間の情報でよい。また、上り測定処理の測定タイミングとは、例えば、ＳｅＮＢ基地局２ａ〜２ｃにおいて、１０パターンのビームパターンで上り信号を受信する場合、１０パターンのビームパターンで上り信号を受信するときの各々の開始タイミングである。測定タイミングの指示は、各１０パターンでの受信を開始する１０パターン分のタイミングでもよいし、最初のビームパターンで受信を開始するタイミングおよび次のビームパターンへの切り替え時間、すなわち１つのビームパターンでの受信時間の情報でもよい。測定タイミングの指示において、１０パターンの各々のビームパターンの受信開始および終了までの期間の情報には、各ビームパターンに対応したＩＤの情報を追加してもよい。なお、ＳｅＮＢ基地局２ａ〜２ｃで使用するビームパターンの順番を共通にしてもよい。
【００２２】
ここで、図２に示すＭｅＮＢ基地局１および図３に示すＳｅＮＢ基地局２ａのブロック図の各構成を実現するハードウェア構成について説明する。図４は、実施の形態１にかかるＭｅＮＢ基地局１およびＳｅＮＢ基地局２ａのハードウェア構成を示す図である。決定部１１、および生成部１２は、プロセッサ５１がメモリ５２に記憶されたプログラムを実行することにより実現される。通信部１３は、送信器５３および受信器５４により実現される。また、決定部２１および生成部２２は、プロセッサ５１がメモリ５２に記憶されたプログラムを実行することにより実現される。通信部２３は、送信器５３および受信器５４により実現される。測定部２４は、プロセッサ５１により実現される。プロセッサ５１、メモリ５２、送信器５３および受信器５４は、システムバス５５により接続されている。ＭｅＮＢ基地局１およびＳｅＮＢ基地局２ａでは、複数のプロセッサ５１および複数のメモリ５２が連携して図２および図３のブロック図に示す各構成の機能を実行してもよい。ＭｅＮＢ基地局１およびＳｅＮＢ基地局２ａについては、図４に示すハードウェア構成により実現することができるが、ソフトウェアまたはハードウェアのいずれでも実装可能である。
【００２３】
つづいて、無線通信システム１００において、ＳｅＮＢ基地局２ａ〜２ｃのうちの１つが端末３と通信を開始するまでの動作について説明する。
【００２４】
図５は、実施の形態１にかかる下り測定処理において、ＭｅＮＢ基地局１が複数のＳｅＮＢ基地局から通信を開始するＳｅＮＢ基地局２ａを決定し、ＳｅＮＢ基地局２ａが使用するビームパターンを決定する処理を示すシーケンス図である。
【００２５】
まず、ＭｅＮＢ基地局１またはＳｅＮＢ基地局２ａ〜２ｃにおいて、ＳｅＮＢ基地局２ａ〜２ｃについて、各ビームパターンによる下り信号の送信タイミング、および、端末３について、ＳｅＮＢ基地局２ａ〜２ｃから各ビームパターンで送信される下り信号の受信品質を測定する下り測定処理における各ビームパターンについての測定タイミング、を決定する（ステップＳ１０１）。
【００２６】
送信タイミングおよび測定タイミングについては、ＭｅＮＢ基地局１の決定部１１が決定してもよいし、ＳｅＮＢ基地局２ａ〜２ｃのいずれかの決定部２１が決定してもよい。
【００２７】
ＭｅＮＢ基地局１の決定部１１が送信タイミングおよび測定タイミングを決定した場合、生成部１２が送信タイミングおよび測定タイミングを示す情報要素を生成し、通信部１３が送信タイミングおよび測定タイミングを示す情報要素を含むメッセージをＳｅＮＢ基地局２ａ〜２ｃへ送信する。
【００２８】
ＭｅＮＢ基地局１は、自発的にＳｅＮＢ基地局２ａ〜２ｃへメッセージを送信してもよく、ＳｅＮＢ基地局２ａ〜２ｃから要求があった場合にＳｅＮＢ基地局２ａ〜２ｃへメッセージを送信してもよい。ＳｅＮＢ基地局２ａ〜２ｃから要求する場合、ＳｅＮＢ基地局２ａ〜２ｃの決定部２１が送信タイミングおよび測定タイミングの転送をＭｅＮＢ基地局１へ要求することを決定し、生成部２２が送信タイミングおよび測定タイミングの転送要求を示す情報要素を生成し、通信部２３が送信タイミングおよび測定タイミングの転送要求を示す情報要素を含むメッセージをＭｅＮＢ基地局１へ送信する。
【００２９】
また、ＳｅＮＢ基地局２ａ〜２ｃのいずれか、例えば、ＳｅＮＢ基地局２ａの決定部２１が送信タイミングおよび測定タイミングを決定した場合、ＳｅＮＢ基地局２ａでは、生成部２２が送信タイミングおよび測定タイミングを示す情報要素を生成し、通信部２３が送信タイミングおよび測定タイミングを示す情報要素を含むメッセージをＭｅＮＢ基地局１へ送信する。その後、ＭｅＮＢ基地局１では、通信部１３が、受信したメッセージをＳｅＮＢ基地局２ｂ，２ｃへ送信する。
【００３０】
ＳｅＮＢ基地局２ａは、自発的にＭｅＮＢ基地局１へメッセージを送信してもよく、ＭｅＮＢ基地局１から要求があった場合にＭｅＮＢ基地局１へメッセージを送信してもよい。ＭｅＮＢ基地局１から要求する場合、ＭｅＮＢ基地局１の決定部１１が送信タイミングおよび測定タイミングの転送をＳｅＮＢ基地局２ａへ要求することを決定し、生成部１２が送信タイミングおよび測定タイミングの転送要求を示す情報要素を生成し、通信部１３が送信タイミングおよび測定タイミングの転送要求を示す情報要素を含むメッセージをＳｅＮＢ基地局２ａへ送信する。
【００３１】
ＭｅＮＢ基地局１およびＳｅＮＢ基地局２ａ〜２ｃ間で送受信されるメッセージは、既存のＸ２メッセージなどを用いることができるが、これに限定するものではなく、他のメッセージを用いてもよい。以降の動作で説明するメッセージについても同様とする。
【００３２】
つぎに、ＭｅＮＢ基地局１では、通信部１３が、端末３へＲＲＣ（Radio  Resource  Control）メッセージによって、測定タイミングの情報を送信する（ステップＳ１０２）。
【００３３】
ＳｅＮＢ基地局２ａ〜２ｃでは、通信部２３が、送信タイミングに基づいて、識別情報によって識別可能な複数のビームパターン、すなわち送信可能な各ビームパターンで下り信号を送信する（ステップＳ１０３）。
【００３４】
端末３では、測定タイミングに基づいて、ＳｅＮＢ基地局２ａ〜２ｃから各ビームパターンで送信された下り信号の受信品質を測定する（ステップＳ１０４）。受信品質は、ＳＮＲ（Signal  to  Noise  Ratio）、ＲＳＳＩ（Received  Signal  Strength  Indicator）などがあるがこれらに限定するものではない。上り信号の受信品質を測定する場合も同様とする。
【００３５】
なお、図５では、ＳｅＮＢ基地局２ａ〜２ｃ毎に送信タイミングが分かれているが、これに限定するものではない。ＳｅＮＢ基地局２ａ〜２ｃにおいて特定のビームパターンでの下り信号の送信を終えてから、ＳｅＮＢ基地局２ａ〜２ｃから次のビームパターンでの下り信号を送信してもよい。
【００３６】
端末３は、下り信号の受信品質を測定した結果である下り測定結果をＭｅＮＢ基地局１へ送信する（ステップＳ１０５）。下り測定結果は、測定タイミングの指示がＳｅＮＢ基地局２ａ〜２ｃにおいて１０パターンのビームパターンによる下り信号の送信開始および終了までの期間の情報のときは指示された期間中の測定データとし、測定タイミングの指示が１０パターンの各々のビームパターンについての送信開始および終了までの期間の情報のときは１０パターンの各期間での測定データまたは測定データの平均値、最大値などとする。測定タイミングの指示において、各ビームパターンに対応したＩＤの情報が追加されていた場合は、ＩＤと測定データまたは測定データの平均値、最大値などと対応付けてもよい。この場合、端末３から送信する下り測定結果は、受信品質がＳｅＮＢ基地局２ａ〜２ｃの各ビームパターン別に判別できる。なお、端末３から送信する下り測定結果において、測定データとビームパターンのＩＤの対応付けができていない場合でも、ＳｅＮＢ基地局２ａ〜２ｃでの送信タイミングが既知のＭｅＮＢ基地局１およびＳｅＮＢ基地局２ａ〜２ｃでは、ＳｅＮＢ基地局２ａ〜２ｃの送信タイミングに基づいて、各ビームパターンでの受信品質を判別できる。
【００３７】
ＭｅＮＢ基地局１では、決定部１１が、端末３から取得した下り測定結果に基づいて、ビームを使って端末３と通信を開始するＳｅＮＢ基地局を決定する（ステップＳ１０６）。
【００３８】
決定部１１は、下り測定結果に示されるＳｅＮＢ基地局２ａ〜２ｃの各ビームパターンについての受信品質に基づいて、受信品質の良いＳｅＮＢ基地局を、端末３と通信を開始するＳｅＮＢ基地局に決定する。決定部１１は、例えば、最も受信品質の良いビームパターンを持つＳｅＮＢ基地局に決定する。以降、ＭｅＮＢ基地局１の決定部１１またはＳｅＮＢ基地局の決定部２１において、端末３と通信を開始するＳｅＮＢ基地局に決定する場合も同様とする。決定部１１は、ここでは、ビームを使って端末３と通信を開始するのはＳｅＮＢ基地局２ａと決定する。
【００３９】
ＭｅＮＢ基地局１では、決定部１１が、さらに、ＳｅＮＢ基地局２ａへ下り測定結果を送信することを決定し、生成部１２が、ビームを使って端末３と通信を開始するＳｅＮＢ基地局２ａへの通信開始指示、および、下り測定結果を示す情報要素を生成し、通信部１３が、通信開始指示、および、下り測定結果を示す情報要素を含むメッセージを、ビームを使って端末３と通信を開始するＳｅＮＢ基地局２ａへ送信する（ステップＳ１０７）。
【００４０】
なお、ＭｅＮＢ基地局１では、ステップＳ１０７において、下り測定結果についてはＳｅＮＢ基地局２ａからの要求により送信してもよい。ＳｅＮＢ基地局２ａから下り測定結果の転送を要求する場合、ＳｅＮＢ基地局２ａの決定部２１が下り測定結果の転送をＭｅＮＢ基地局１へ要求することを決定し、生成部２２が下り測定結果の転送要求を示す情報要素を生成し、通信部２３が下り測定結果の転送要求を示す情報要素を含むメッセージをＭｅＮＢ基地局１へ送信する。以降の説明において、ＭｅＮＢ基地局１からＳｅＮＢ基地局側へ下り測定結果を送信する場合も同様とする。
【００４１】
ＳｅＮＢ基地局２ａでは、決定部２１が、ＭｅＮＢ基地局１から取得した下り測定結果に基づいて、端末３との通信に使用するビームパターンを決定する（ステップＳ１０８）。決定部２１は、下り測定結果に示される自局の各ビームパターンについての受信品質に基づいて、受信品質の良いビームパターンを、端末３との通信に使用するビームパターンに決定する。決定部２１は、例えば、複数のビームパターンのうち最も受信品質の良いビームパターンを端末３との通信に使用するビームパターンに決定する。以降、ＭｅＮＢ基地局１の決定部１１またはＳｅＮＢ基地局の決定部２１において、端末３との通信に使用するビームパターンに決定する場合も同様とする。そして、ＳｅＮＢ基地局２ａでは、決定したビームパターンのビームを使って端末３との通信を開始する（ステップＳ１０９）。
【００４２】
これにより、ＳｅＮＢ基地局２ａ〜２ｃおよび端末３では、サブアレーアンテナ２５毎、またはサブアレーアンテナ２５の向き毎、または時間毎でビームパターンの識別ができ、ＳｅＮＢ基地局２ａ〜２ｃでは、下り測定結果により、適切にビームと端末３との対応付けが可能となり、ビームによる通信を開始することができる。また、ビームによる通信を開始するまでの処理が一意に決まることから、ＭｅＮＢ基地局１とＳｅＮＢ基地局２ａ〜２ｃとの間またはＳｅＮＢ基地局２ａ〜２ｃ間で送受信される基地局間メッセージの無駄、および各基地局での処理の無駄を回避することができる。
【００４３】
なお、図５に示した処理では、ＳｅＮＢ基地局２ａにおいて使用するビームパターンを決定していたが、ＭｅＮＢ基地局１においてＳｅＮＢ基地局２ａで使用するビームパターンを決定してもよい。
【００４４】
図６は、実施の形態１にかかる下り測定処理において、ＭｅＮＢ基地局１が複数のＳｅＮＢ基地局から通信を開始するＳｅＮＢ基地局２ａ、使用するビームパターンを決定する処理を示すシーケンス図である。ステップＳ１０１〜Ｓ１０５までは図５の処理と同様である。
【００４５】
ＭｅＮＢ基地局１では、決定部１１が、端末３から取得した下り測定結果に基づいて、ビームを使って端末３と通信を開始するＳｅＮＢ基地局、および、ビームを使って端末３と通信を開始するＳｅＮＢ基地局で使用するビームパターンを決定する（ステップＳ２０１）。
【００４６】
決定部１１は、下り測定結果に示されるＳｅＮＢ基地局２ａ〜２ｃの各ビームパターンについての受信品質に基づいて、受信品質の良いＳｅＮＢ基地局およびビームパターンを、ビームを使って端末３と通信を開始するＳｅＮＢ基地局およびビームを使って端末３と通信を開始するＳｅＮＢ基地局で使用するビームパターンに決定する。決定部１１は、ここでは、ビームを使って端末３と通信を開始するのはＳｅＮＢ基地局２ａと決定し、さらに、ＳｅＮＢ基地局２ａで使用するビームパターンを決定する。
【００４７】
ＭｅＮＢ基地局１では、生成部１２が、ビームを使って端末３と通信を開始するＳｅＮＢ基地局２ａへの通信開始指示、および、使用するビームパターンを示す情報要素を生成し、通信部１３が、通信開始指示、および、使用するビームパターンを示す情報要素を含むメッセージを、ビームを使って端末３と通信を開始するＳｅＮＢ基地局２ａへ送信する（ステップＳ２０２）。
【００４８】
ＳｅＮＢ基地局２ａでは、ＭｅＮＢ基地局１から取得した情報によるビームパターンのビームを使って端末３との通信を開始する（ステップＳ２０３）。
【００４９】
なお、図５，６に示した処理では、ビームを使って端末３と通信を開始するＳｅＮＢ基地局、使用するビームパターンを決定する際、下り測定結果を使用していたが、上り測定結果を使用してもよい。
【００５０】
図７は、実施の形態１にかかる上り測定処理において、ＭｅＮＢ基地局１が複数のＳｅＮＢ基地局から通信を開始するＳｅＮＢ基地局２ａを決定し、ＳｅＮＢ基地局２ａが使用するビームパターンを決定する処理を示すシーケンス図である。
【００５１】
まず、ＭｅＮＢ基地局１またはＳｅＮＢ基地局２ａ〜２ｃにおいて、端末３について、上り信号の送信タイミング、および、ＳｅＮＢ基地局２ａ〜２ｃについて、端末３から送信される上り信号の受信品質を測定する上り測定処理における、識別情報により識別可能な各ビームパターンによる上り信号の測定タイミング、を決定する（ステップＳ３０１）。
【００５２】
送信タイミングおよび測定タイミングについては、ＭｅＮＢ基地局１の決定部１１が決定してもよいし、ＳｅＮＢ基地局２ａ〜２ｃのいずれかの決定部２１が決定してもよい。
【００５３】
ＭｅＮＢ基地局１の決定部１１が決定した場合、生成部１２が送信タイミングおよび測定タイミングを示す情報要素を生成し、通信部１３が送信タイミングおよび測定タイミングを示す情報要素を含むメッセージをＳｅＮＢ基地局２ａ〜２ｃへ送信する。
【００５４】
ＭｅＮＢ基地局１は、自発的にＳｅＮＢ基地局２ａ〜２ｃへメッセージを送信してもよく、ＳｅＮＢ基地局２ａ〜２ｃから要求があった場合にＳｅＮＢ基地局２ａ〜２ｃへメッセージを送信してもよい。ＳｅＮＢ基地局２ａ〜２ｃから要求する場合、ＳｅＮＢ基地局２ａ〜２ｃの決定部２１が送信タイミングおよび測定タイミングの転送をＭｅＮＢ基地局１へ要求することを決定し、生成部２２が送信タイミングおよび測定タイミングの転送要求を示す情報要素を生成し、通信部２３が送信タイミングおよび測定タイミングの転送要求を示す情報要素を含むメッセージをＭｅＮＢ基地局１へ送信する。
【００５５】
また、ＳｅＮＢ基地局２ａ〜２ｃのいずれか、例えば、ＳｅＮＢ基地局２ａの決定部２１が決定した場合、ＳｅＮＢ基地局２ａでは、生成部２２が送信タイミングおよび測定タイミングを示す情報要素を生成し、通信部２３が送信タイミングおよび測定タイミングを示す情報要素を含むメッセージをＭｅＮＢ基地局１へ送信する。その後、ＭｅＮＢ基地局１では、通信部１３が、受信したメッセージをＳｅＮＢ基地局２ｂ，２ｃへ送信する。
【００５６】
ＳｅＮＢ基地局２ａは、自発的にＭｅＮＢ基地局１へメッセージを送信してもよく、ＭｅＮＢ基地局１から要求があった場合にＭｅＮＢ基地局１へメッセージを送信してもよい。ＭｅＮＢ基地局１から要求する場合、ＭｅＮＢ基地局１の決定部１１が送信タイミングおよび測定タイミングの転送をＳｅＮＢ基地局２ａへ要求することを決定し、生成部１２が送信タイミングおよび測定タイミングの転送要求を示す情報要素を生成し、通信部１３が送信タイミングおよび測定タイミングの転送要求を示す情報要素を含むメッセージをＳｅＮＢ基地局２ａへ送信する。
【００５７】
つぎに、ＭｅＮＢ基地局１では、通信部１３が、端末３へＲＲＣメッセージによって、送信タイミングの情報を送信する（ステップＳ３０２）。
【００５８】
端末３では、送信タイミングに基づいて、上り信号を送信する（ステップＳ３０３）。
【００５９】
ＳｅＮＢ基地局２ａ〜２ｃでは、測定部２４が、測定タイミングに基づいて、端末３から送信された上り信号の受信品質を、識別情報によって識別可能な複数のビームパターン、すなわち受信可能な各ビームパターンで測定する（ステップＳ３０４）。
【００６０】
なお、図７では、ＳｅＮＢ基地局２ａ〜２ｃが同時に測定を行っているが、これに限定するものではない。端末３がＳｅＮＢ基地局２ａ〜２ｃに対して個別に上り信号を送信し、ＳｅＮＢ基地局２ａ〜２ｃが個別の測定タイミングで測定を行ってもよい。また、ＳｅＮＢ基地局２ａ〜２ｃでは、自局で各ビームパターンを切り替えて受信品質を測定するので、下り測定処理の際に端末３が受信品質を測定する場合と異なり、測定タイミングに基づかずに端末３から送信された上り信号の受信品質を測定することも可能である。
【００６１】
ＳｅＮＢ基地局２ａ〜２ｃでは、通信部２３が、測定部２４において上り信号の受信品質を測定した結果である上り測定結果をＭｅＮＢ基地局１へ送信する（ステップＳ３０５）。上り測定結果は、１０パターンの各期間での測定データまたは測定データの平均値、最大値などとする。各ビームパターンに対応したＩＤと測定データまたは測定データの平均値、最大値などと対応付けてもよい。この場合、ＳｅＮＢ基地局２ａ〜２ｃから送信する上り測定結果は、受信品質がＳｅＮＢ基地局２ａ〜２ｃの各ビームパターン別に判別できる。なお、ＳｅＮＢ基地局２ａ〜２ｃから送信する上り測定結果において、測定データとビームパターンのＩＤの対応付けができていない場合でも、ＳｅＮＢ基地局２ａ〜２ｃでの受信タイミングが既知のＭｅＮＢ基地局１では、ＳｅＮＢ基地局２ａ〜２ｃの受信タイミングに基づいて、各ビームパターンでの受信品質を判別できる。
【００６２】
具体的に、ＳｅＮＢ基地局２ａ〜２ｃでは、決定部２１が上り測定結果をＭｅＮＢ基地局１へ送信することを決定し、生成部２２が上り測定結果を示す情報要素を生成し、通信部２３が上り測定結果を示す情報要素を含むメッセージをＭｅＮＢ基地局１へ送信する。ＳｅＮＢ基地局２ａ〜２ｃは、自発的にＭｅＮＢ基地局１へメッセージを送信してもよく、ＭｅＮＢ基地局１から要求があった場合にＭｅＮＢ基地局１へメッセージを送信してもよい。ＭｅＮＢ基地局１から上り測定結果の転送を要求する場合、ＭｅＮＢ基地局１の決定部１１が上り測定結果の転送をＳｅＮＢ基地局２ａ〜２ｃへ要求することを決定し、生成部１２が上り測定結果の転送要求を示す情報要素を生成し、通信部１３が上り測定結果の転送要求を示す情報要素を含むメッセージをＳｅＮＢ基地局２ａ〜２ｃへ送信する。
【００６３】
ＭｅＮＢ基地局１では、決定部１１が、ＳｅＮＢ基地局２ａ〜２ｃから取得した上り測定結果に基づいて、ビームを使って端末３と通信を開始するＳｅＮＢ基地局を決定する（ステップＳ３０６）。
【００６４】
決定部１１は、上り測定結果に示されるＳｅＮＢ基地局２ａ〜２ｃの各ビームパターンについての受信品質に基づいて、受信品質の良いＳｅＮＢ基地局を、ビームを使って端末３と通信を開始するＳｅＮＢ基地局に決定する。決定部１１は、ここでは、ビームを使って端末３と通信を開始するのはＳｅＮＢ基地局２ａと決定する。
【００６５】
ＭｅＮＢ基地局１では、生成部１２が、ビームを使って端末３と通信を開始するＳｅＮＢ基地局２ａへの通信開始指示を示す情報要素を生成し、通信部１３が、通信開始指示を示す情報要素を含むメッセージを、ビームを使って端末３と通信を開始するＳｅＮＢ基地局２ａへ送信する（ステップＳ３０７）。
【００６６】
ＳｅＮＢ基地局２ａでは、決定部２１が、自局の測定部２４で測定した結果である上り測定結果に基づいて、端末３との通信に使用するビームパターンを決定する（ステップＳ３０８）。決定部２１は、上り測定結果に示される各ビームパターンについての受信品質に基づいて、受信品質の良いビームパターンを、端末３との通信に使用するビームパターンに決定する。そして、ＳｅＮＢ基地局２ａでは、決定したビームパターンのビームを使って端末３との通信を開始する（ステップＳ３０９）。
【００６７】
なお、図７に示した処理では、ＳｅＮＢ基地局２ａにおいて使用するビームパターンを決定していたが、ＭｅＮＢ基地局１においてＳｅＮＢ基地局２ａで使用するビームパターンを決定してもよい。
【００６８】
図８は、実施の形態１にかかる上り測定処理において、ＭｅＮＢ基地局１が複数のＳｅＮＢ基地局から通信を開始するＳｅＮＢ基地局２ａ、使用するビームパターンを決定する処理を示すシーケンス図である。ステップＳ３０１〜Ｓ３０５までは図７の処理と同様である。
【００６９】
ＭｅＮＢ基地局１では、決定部１１が、ＳｅＮＢ基地局２ａ〜２ｃから取得した上り測定結果に基づいて、ビームを使って端末３と通信を開始するＳｅＮＢ基地局、および、ビームを使って端末３と通信を開始するＳｅＮＢ基地局で使用するビームパターンを決定する（ステップＳ４０１）。
【００７０】
決定部１１は、上り測定結果に示されるＳｅＮＢ基地局２ａ〜２ｃの各ビームパターンについての受信品質に基づいて、受信品質の良いＳｅＮＢ基地局およびビームパターンを、ビームを使って端末３と通信を開始するＳｅＮＢ基地局およびビームを使って端末３と通信を開始するＳｅＮＢ基地局で使用するビームパターンに決定する。決定部１１は、ここでは、ビームを使って端末３と通信を開始するのはＳｅＮＢ基地局２ａと決定し、さらに、ＳｅＮＢ基地局２ａで使用するビームパターンを決定する。
【００７１】
ＭｅＮＢ基地局１では、生成部１２が、ビームを使って端末３と通信を開始するＳｅＮＢ基地局２ａへの通信開始指示、および、使用するビームパターンを示す情報要素を生成し、通信部１３が、通信開始指示、および、使用するビームパターンを示す情報要素を含むメッセージを、ビームを使って端末３と通信を開始するＳｅＮＢ基地局２ａへ送信する（ステップＳ４０２）。
【００７２】
ＳｅＮＢ基地局２ａでは、ＭｅＮＢ基地局１から取得した情報によるビームパターンのビームを使って端末３との通信を開始する（ステップＳ４０３）。
【００７３】
図６〜８の処理においても、図５の処理と同様の効果を得ることができる。
【００７４】
以上説明したように、本実施の形態によれば、ＭｅＮＢ基地局１およびＳｅＮＢ基地局２ａ〜２ｃの間で、下り測定処理においては、ＳｅＮＢ基地局２ａ〜２ｃの各ビームパターンでの下り信号の送信タイミング、端末３のＳｅＮＢ基地局２ａ〜２ｃの各ビームパターンについての下り信号の測定タイミングを決定し、端末３での下り測定結果に基づいて、端末３との通信に適したＳｅＮＢ基地局を決定する。また、ＭｅＮＢ基地局１およびＳｅＮＢ基地局２ａ〜２ｃの間で、上り測定処理においては、端末３での上り信号の送信タイミング、ＳｅＮＢ基地局２ａ〜２ｃの各ビームパターンでの上り信号の測定タイミングを決定し、ＳｅＮＢ基地局２ａ〜２ｃでの上り測定結果に基づいて、端末３との通信に適したＳｅＮＢ基地局を決定する。これにより、無線通信システム１００において、ＭｅＮＢ基地局１とＳｅＮＢ基地局２ａ〜２ｃとの間またはＳｅＮＢ基地局２ａ〜２ｃ間において効率のよいメッセージ交換によって、ビームを使って端末３と通信を開始するＳｅＮＢ基地局を決定することができる。
【００７５】
実施の形態２．
本実施の形態では、ビームを使って端末３と通信を行っているＳｅＮＢ基地局２ａにおいて、端末３との通信に使用するビームのビームパターンを変更する動作について説明する。無線通信システム１００、ＭｅＮＢ基地局１、ＳｅＮＢ基地局２ａの構成は実施の形態１と同様である。下り測定処理においては、ＭｅＮＢ基地局１、ＳｅＮＢ基地局２ａ、端末３のみを用いて説明する。
【００７６】
図９は、実施の形態２にかかる下り測定処理において、ＳｅＮＢ基地局２ａがビームパターンの変更要否を決定する処理を示すシーケンス図である。
【００７７】
まず、ＭｅＮＢ基地局１またはＳｅＮＢ基地局２ａにおいて、ＳｅＮＢ基地局２ａについて、各ビームパターンによる下り信号の送信タイミング、および、端末３について、ＳｅＮＢ基地局２ａから各ビームパターンで送信される下り信号の受信品質を測定する下り測定処理における各ビームパターンについての測定タイミング、を決定する（ステップＳ５０１）。ＳｅＮＢ基地局２ｂ，２ｃが含まれていないことを除けば、ステップＳ５０１の処理は、図５のステップＳ１０１と同様の内容である。
【００７８】
つぎに、ＭｅＮＢ基地局１では、通信部１３が、端末３へＲＲＣメッセージによって、測定タイミングの情報を送信する（ステップＳ５０２）。
【００７９】
ＳｅＮＢ基地局２ａでは、通信部２３が、ステップＳ５０１で決定された送信タイミングに基づいて、各ビームパターンで下り信号を送信する（ステップＳ５０３）。
【００８０】
端末３では、ステップＳ５０２でＭｅＮＢ基地局１から送信された情報が示す測定タイミングに基づいて、ＳｅＮＢ基地局２ａから各ビームパターンで送信された下り信号の受信品質を測定する（ステップＳ５０４）。
【００８１】
端末３は、下り信号の受信品質を測定した結果である下り測定結果をＭｅＮＢ基地局１へ送信する（ステップＳ５０５）。
【００８２】
ＭｅＮＢ基地局１は、端末３から取得した下り測定結果をＳｅＮＢ基地局２ａへ送信する（ステップＳ５０６）。具体的に、ＭｅＮＢ基地局１では、決定部１１が下り測定結果をＳｅＮＢ基地局２ａへ送信することを決定し、生成部１２が下り測定結果を示す情報要素を生成し、通信部１３が下り測定結果を示す情報要素を含むメッセージをＳｅＮＢ基地局２ａへ送信する。なお、ＭｅＮＢ基地局１は、下り測定結果についてはＳｅＮＢ基地局２ａからの要求により送信してもよい。ＳｅＮＢ基地局２ａから下り測定結果の転送を要求する場合、ＳｅＮＢ基地局２ａの決定部２１が下り測定結果の転送をＭｅＮＢ基地局１へ要求することを決定し、生成部２２が下り測定結果の転送要求を示す情報要素を生成し、通信部２３が下り測定結果の転送要求を示す情報要素を含むメッセージをＭｅＮＢ基地局１へ送信する。
【００８３】
ＳｅＮＢ基地局２ａでは、決定部２１が、ＭｅＮＢ基地局１から取得した下り測定結果に基づいて、端末３との通信に使用するビームのビームパターンの変更要否を決定する（ステップＳ５０７）。
【００８４】
決定部２１は、下り測定結果に示される自局の各ビームパターンについての受信品質に基づいて、現在使用しているビームパターンについての受信品質が、規定された受信品質の閾値を下回った場合、または、現在使用しているビームパターンよりも受信品質の良いビームパターンがある場合、端末３との通信に使用するビームのビームパターンを変更することを決定する。規定された受信品質の閾値とは、ＳｅＮＢ基地局と端末間との間の通信状態が良好か否かを判定する値とする。受信品質が規定された受信品質の閾値以上のときは、ＳｅＮＢ基地局と端末間との間の通信状態が良好であり、受信品質が規定された受信品質の閾値を下回ったときはＳｅＮＢ基地局と端末間との間の通信状態が良好ではないとする。決定部２１において、ビームパターンを変更する場合の変更後のビームパターンを決定する方法は、図５に示すステップＳ１０８のビームパターンの決定処理と同様である。
【００８５】
決定部２１がステップＳ５０７において端末３との通信に使用するビームのビームパターンを変更しないと決定した場合、ＳｅＮＢ基地局２ａでは、現在使用しているビームを継続使用する。
【００８６】
これにより、ＳｅＮＢ基地局２ａおよび端末３では、サブアレーアンテナ２５毎、またはサブアレーアンテナ２５の向き毎、または時間毎でビームパターンの識別ができ、ＳｅＮＢ基地局２ａでは、下り測定結果により、ビームによる通信に使用しているサブアレーアンテナ２５の向きを端末３において高利得が得られるように調整し、ビームによる通信を維持することができる。また、ビームによる通信の維持を目的としたサブアレーアンテナ２５の向きの調整のための処理が一意に決まり、ＭｅＮＢ基地局１とＳｅＮＢ基地局２ａ〜２ｃとの間またはＳｅＮＢ基地局２ａ〜２ｃ間で送受信される基地局間メッセージの無駄、および各基地局での処理の無駄を回避することができる。
【００８７】
なお、図９に示した処理では、ビームパターンの変更要否を決定する際、下り測定結果を使用していたが、上り測定結果を使用してもよい。上り測定処理においては、ＳｅＮＢ基地局２ａ、端末３のみを用いて説明する。
【００８８】
図１０は、実施の形態２にかかる上り測定処理において、ＳｅＮＢ基地局２ａがビームパターンの変更要否を決定する処理を示すシーケンス図である。
【００８９】
まず、ＳｅＮＢ基地局２ａにおいて、決定部２１が、端末３について、上り信号の送信タイミング、および、自局について、端末３から送信される上り信号の受信品質を測定する上り測定処理における、識別情報により識別可能な各ビームパターンによる上り信号の測定タイミング、を決定する（ステップＳ６０１）。
【００９０】
ＳｅＮＢ基地局２ａでは、通信部２３が、ＬＴＥなどで規定されている既存のスケジューリング機能に則り、端末３に対して上り信号の送信タイミングを指示する（ステップＳ６０２）。
【００９１】
端末３では、送信タイミングに基づいて、上り信号を送信する（ステップＳ６０３）。
【００９２】
ＳｅＮＢ基地局２ａでは、測定部２４が、測定タイミングに基づいて、端末３から送信された上り信号の受信品質を測定する（ステップＳ６０４）。なお、ＳｅＮＢ基地局２ａでは、端末３からの上り信号を測定するＳｅＮＢ基地局は自局のみであることから、測定部２４は、測定タイミングに基づかずに端末３から送信された上り信号の受信品質を測定することも可能である。
【００９３】
ＳｅＮＢ基地局２ａでは、決定部２１が、測定部２４で測定した結果である上り測定結果に基づいて、端末３との通信に使用するビームのビームパターンの変更要否を決定する（ステップＳ６０５）。
【００９４】
決定部２１は、上り測定結果に示される各ビームパターンについての受信品質に基づいて、現在使用しているビームパターンについての受信品質が、規定された受信品質の閾値を下回った場合、または、現在使用しているビームパターンよりも受信品質の良いビームパターンがある場合、端末３との通信に使用するビームのビームパターンを変更することを決定する。以降の処理は図９の処理のステップＳ５０７と同様である。
【００９５】
図１０の処理においても、図９の処理と同様の効果を得ることができる。
【００９６】
以上説明したように、本実施の形態によれば、下り測定処理においては、ＭｅＮＢ基地局１、ＳｅＮＢ基地局２ａ、および端末３との間のメッセージの交換により、上り測定処理においては、ＳｅＮＢ基地局２ａ、および端末３との間のメッセージの交換により、ＳｅＮＢ基地局２ａがビームパターンの変更要否を決定する。これにより、無線通信システム１００において、ＭｅＮＢ基地局１とＳｅＮＢ基地局２ａとの間において効率のよいメッセージ交換によって、ビームを使った端末３との通信を維持することができる。
【００９７】
実施の形態３．
本実施の形態では、ＳｅＮＢ基地局２ａがビームを使って端末３と通信を行っている場合に、ビームを使って端末３と通信を行うＳｅＮＢ基地局をＳｅＮＢ基地局２ｂに切り替える動作について説明する。無線通信システム１００、ＭｅＮＢ基地局１、ＳｅＮＢ基地局２ａ〜２ｃの構成は実施の形態１と同様である。
【００９８】
図１１は、実施の形態３にかかる下り測定処理において、ＭｅＮＢ基地局１がビームを使って端末３と通信を行うＳｅＮＢ基地局を切り替えること、切り替え先のＳｅＮＢ基地局をＳｅＮＢ基地局２ｂにすることを決定し、切り替え先のＳｅＮＢ基地局２ｂが使用するビームパターンを決定する処理を示すシーケンス図である。ステップＳ１０１〜Ｓ１０５までは図５の処理と同様である。
【００９９】
ＭｅＮＢ基地局１では、決定部１１が、端末３から取得した下り測定結果に基づいて、ビームを使って端末３と通信を行うＳｅＮＢ基地局を切り替えること、および、切り替え先のＳｅＮＢ基地局を決定する（ステップＳ７０１）。
【０１００】
決定部１１は、下り測定結果に示されるＳｅＮＢ基地局２ａ〜２ｃの各ビームパターンについての受信品質に基づいて、現在端末３と通信を行っているＳｅＮＢ基地局２ａについての受信品質が、規定された受信品質の閾値を下回った場合、または、他に受信品質の良いＳｅＮＢ基地局がある場合、ビームを使って端末３と通信を行うＳｅＮＢ基地局を切り替えることを決定する。決定部１１は、下り測定結果に示されるＳｅＮＢ基地局２ｂ，２ｃの各ビームパターンについての受信品質に基づいて、切り替え先のＳｅＮＢ基地局をＳｅＮＢ基地局２ｂと決定する。
【０１０１】
ＭｅＮＢ基地局１では、決定部１１が、さらに、ＳｅＮＢ基地局２ｂへ下り測定結果を送信することを決定し、生成部１２が、切り替え先のＳｅＮＢ基地局２ｂへの通信開始指示、および、下り測定結果を示す情報要素を生成し、通信部１３が、通信開始指示、および、下り測定結果を示す情報要素を含むメッセージを、ビームを使って端末３と通信を行うＳｅＮＢ基地局２ｂへ送信する（ステップＳ７０２）。
【０１０２】
ＳｅＮＢ基地局２ｂでは、決定部２１が、ＭｅＮＢ基地局１から取得した下り測定結果に基づいて、端末３との通信に使用するビームパターンを決定する（ステップＳ７０３）。決定部２１は、下り測定結果に示される自局の各ビームパターンについての受信品質に基づいて、受信品質の良いビームパターンを、端末３との通信に使用するビームパターンに決定する。そして、ＳｅＮＢ基地局２ｂでは、決定したビームパターンのビームを使って端末３との通信を開始する（ステップＳ７０４）。
【０１０３】
切り替え元のＳｅＮＢ基地局２ａでは、既存のバンドオーバーの手順により端末３との通信を終了することができるが、ＭｅＮＢ基地局１からステップＳ７０２の内容のメッセージを受信することで他のＳｅＮＢ基地局２ｂが端末３と通信を開始することを把握できることから、端末３との通信を終了する際にステップＳ７０２のメッセージを利用してもよい。
【０１０４】
なお、図１１に示した処理では、ＳｅＮＢ基地局２ｂにおいて使用するビームパターンを決定していたが、ＭｅＮＢ基地局１においてＳｅＮＢ基地局２ｂで使用するビームパターンを決定してもよい。
【０１０５】
図１２は、実施の形態３にかかる下り測定処理において、ＭｅＮＢ基地局１がビームを使って端末３と通信を行うＳｅＮＢ基地局を切り替えること、切り替え先のＳｅＮＢ基地局をＳｅＮＢ基地局２ｂにすること、切り替え先のＳｅＮＢ基地局２ｂで使用するビームパターンを決定する処理を示すシーケンス図である。ステップＳ１０１〜Ｓ１０５までは図５の処理と同様である。
【０１０６】
ＭｅＮＢ基地局１では、決定部１１が、端末３から取得した下り測定結果に基づいて、ビームを使って端末３と通信を行うＳｅＮＢ基地局を切り替えること、切り替え先のＳｅＮＢ基地局、および、切り替え先のＳｅＮＢ基地局で使用するビームパターンを決定する（ステップＳ８０１）。
【０１０７】
決定部１１は、下り測定結果に示されるＳｅＮＢ基地局２ａ〜２ｃの各ビームパターンについての受信品質に基づいて、現在端末３と通信を行っているＳｅＮＢ基地局２ａについての受信品質が、規定された受信品質の閾値を下回った場合、または、他に受信品質の良いＳｅＮＢ基地局がある場合、ビームを使って端末３と通信を行うＳｅＮＢ基地局を切り替えることを決定する。決定部１１は、下り測定結果に示されるＳｅＮＢ基地局２ａ〜２ｃの各ビームパターンについての受信品質に基づいて、切り替え先のＳｅＮＢ基地局をＳｅＮＢ基地局２ｂと決定し、さらに、ＳｅＮＢ基地局２ｂで使用するビームパターンを決定する。
【０１０８】
ＭｅＮＢ基地局１では、生成部１２が、切り替え先のＳｅＮＢ基地局２ｂへの通信開始指示、および、使用するビームパターンを示す情報要素を生成し、通信部１３が、通信開始指示、および、使用するビームパターンを示す情報要素を含むメッセージを、ビームを使って端末３と通信を行うＳｅＮＢ基地局２ｂへ送信する（ステップＳ８０２）。
【０１０９】
ＳｅＮＢ基地局２ｂでは、ＭｅＮＢ基地局１から取得した情報によるビームパターンのビームを使って端末３との通信を開始する（ステップＳ８０３）。
【０１１０】
切り替え元のＳｅＮＢ基地局２ａでは、既存のバンドオーバーの手順により端末３との通信を終了することができるが、ＭｅＮＢ基地局１からステップＳ８０２の内容のメッセージを受信することで他のＳｅＮＢ基地局２ｂが端末３と通信を開始することを把握できることから、端末３との通信を終了する際にステップＳ８０２のメッセージを利用してもよい。
【０１１１】
これにより、ＳｅＮＢ基地局２ａ〜２ｃおよび端末３では、サブアレーアンテナ２５毎、またはサブアレーアンテナ２５の向き毎、または時間毎でビームパターンの識別ができ、ＳｅＮＢ基地局２ａ〜２ｃでは、下り測定結果により、ビームを使って端末３と通信を行うＳｅＮＢ基地局を切り替え可能となり、切り替え先のＳｅＮＢ基地局によって端末３とのビームによる通信を維持することができる。また、ビームによる通信を維持するための処理が一意に決まることから、ＭｅＮＢ基地局１とＳｅＮＢ基地局２ａ〜２ｃとの間またはＳｅＮＢ基地局２ａ〜２ｃ間で送受信される基地局間メッセージの無駄、および各基地局での処理の無駄を回避することができる。
【０１１２】
なお、図１１，１２に示した処理では、ビームを使って端末３と通信を行うＳｅＮＢ基地局の切り替え、切り替え先のＳｅＮＢ基地局、使用するビームパターンを決定する際、下り測定結果を使用していたが、上り測定結果を使用してもよい。
【０１１３】
図１３は、実施の形態３にかかる上り測定処理において、ＭｅＮＢ基地局１がビームを使って端末３と通信を行うＳｅＮＢ基地局を切り替えること、切り替え先のＳｅＮＢ基地局をＳｅＮＢ基地局２ｂにすることを決定し、切り替え先のＳｅＮＢ基地局２ｂが使用するビームパターンを決定する処理を示すシーケンス図である。ステップＳ３０１〜Ｓ３０５までは図７の処理と同様である。
【０１１４】
ＭｅＮＢ基地局１では、決定部１１が、ＳｅＮＢ基地局２ａ〜２ｃから取得した上り測定結果に基づいて、ビームを使って端末３と通信を行うＳｅＮＢ基地局を切り替えること、および、切り替え先のＳｅＮＢ基地局を決定する（ステップＳ９０１）。
【０１１５】
決定部１１は、上り測定結果に示されるＳｅＮＢ基地局２ａ〜２ｃの各ビームパターンについての受信品質に基づいて、現在端末３と通信を行っているＳｅＮＢ基地局２ａについての受信品質が、規定された受信品質の閾値を下回った場合、または、他に受信品質の良いＳｅＮＢ基地局がある場合、ビームを使って端末３と通信を行うＳｅＮＢ基地局を切り替えることを決定する。決定部１１は、上り測定結果に示されるＳｅＮＢ基地局２ａ〜２ｃの各ビームパターンについての受信品質に基づいて、切り替え先のＳｅＮＢ基地局をＳｅＮＢ基地局２ｂと決定する。
【０１１６】
ＭｅＮＢ基地局１では、生成部１２が、切り替え先のＳｅＮＢ基地局２ｂへの通信開始指示を示す情報要素を生成し、通信部１３が、通信開始指示を示す情報要素を含むメッセージを、ビームを使って端末３と通信を行うＳｅＮＢ基地局２ｂへ送信する（ステップＳ９０２）。
【０１１７】
ＳｅＮＢ基地局２ｂでは、決定部２１が、自局の測定部２４で測定した結果である上り測定結果に基づいて、端末３との通信に使用するビームパターンを決定する（ステップＳ９０３）。決定部２１は、上り測定結果に示される各ビームパターンについての受信品質に基づいて、受信品質の良いビームパターンを、端末３との通信に使用するビームパターンに決定する。そして、ＳｅＮＢ基地局２ｂでは、決定したビームパターンのビームを使って端末３との通信を開始する（ステップＳ９０４）。
【０１１８】
切り替え元のＳｅＮＢ基地局２ａでは、既存のバンドオーバーの手順により端末３との通信を終了することができるが、ステップＳ９０２のメッセージを利用してもよい。
【０１１９】
なお、図１３に示した処理では、ＳｅＮＢ基地局２ｂにおいて使用するビームパターンを決定していたが、ＭｅＮＢ基地局１においてＳｅＮＢ基地局２ｂで使用するビームパターンを決定してもよい。
【０１２０】
図１４は、実施の形態３にかかる上り測定処理において、ＭｅＮＢ基地局１がビームを使って端末３と通信を行うＳｅＮＢ基地局を切り替えること、切り替え先のＳｅＮＢ基地局をＳｅＮＢ基地局２ｂにすること、切り替え先のＳｅＮＢ基地局２ｂで使用するビームパターンを決定する処理を示すシーケンス図である。ステップＳ３０１〜Ｓ３０５までは図７の処理と同様である。
【０１２１】
ＭｅＮＢ基地局１では、決定部１１が、ＳｅＮＢ基地局２ａ〜２ｃから取得した上り測定結果に基づいて、ビームを使って端末３と通信を行うＳｅＮＢ基地局を切り替えること、切り替え先のＳｅＮＢ基地局、および、切り替え先のＳｅＮＢ基地局で使用するビームパターンを決定する（ステップＳ１００１）。
【０１２２】
決定部１１は、上り測定結果に示されるＳｅＮＢ基地局２ａ〜２ｃの各ビームパターンについての受信品質に基づいて、現在端末３と通信を行っているＳｅＮＢ基地局２ａについての受信品質が、規定された受信品質の閾値を下回った場合、または、他に受信品質の良いＳｅＮＢ基地局がある場合、ビームを使って端末３と通信を行うＳｅＮＢ基地局を切り替えることを決定する。決定部１１は、上り測定結果に示されるＳｅＮＢ基地局２ｂ，２ｃの各ビームパターンについての受信品質に基づいて、切り替え先のＳｅＮＢ基地局をＳｅＮＢ基地局２ｂと決定し、さらに、ＳｅＮＢ基地局２ｂで使用するビームパターンを決定する。
【０１２３】
ＭｅＮＢ基地局１では、生成部１２が、切り替え先のＳｅＮＢ基地局２ｂへの通信開始指示、および、使用するビームパターンを示す情報要素を生成し、通信部１３が、通信開始指示、および、使用するビームパターンを示す情報要素を含むメッセージを、ビームを使って端末３と通信を行うＳｅＮＢ基地局２ｂへ送信する（ステップＳ１００２）。
【０１２４】
ＳｅＮＢ基地局２ｂでは、ＭｅＮＢ基地局１から取得した情報によるビームパターンのビームを使って端末３との通信を開始する（ステップＳ１００３）。
【０１２５】
切り替え元のＳｅＮＢ基地局２ａでは、既存のバンドオーバーの手順により端末３との通信を終了することができるが、ステップＳ１００２のメッセージを利用してもよい。
【０１２６】
図１１〜１４に示した処理では、ＭｅＮＢ基地局１において、少なくとも、ビームを使って端末３と通信を行うＳｅＮＢ基地局を切り替えること、切り替え先のＳｅＮＢ基地局を決定していたが、ビームを使って端末３と通信を行うＳｅＮＢ基地局を切り替えることのみ決定することも可能である。
【０１２７】
図１５は、実施の形態３にかかる下り測定処理において、ＭｅＮＢ基地局１がビームを使って端末３と通信を行うＳｅＮＢ基地局を切り替えることを決定し、切り替え元である現在端末３と通信を行っているＳｅＮＢ基地局２ａが切り替え先のＳｅＮＢ基地局をＳｅＮＢ基地局２ｂに決定し、切り替え先のＳｅＮＢ基地局２ｂが使用するビームパターンを決定する処理を示すシーケンス図である。ステップＳ１０１〜Ｓ１０５までは図５の処理と同様である。
【０１２８】
ＭｅＮＢ基地局１では、決定部１１が、端末３から取得した下り測定結果に基づいて、ビームを使って端末３と通信を行うＳｅＮＢ基地局を切り替えることを決定する（ステップＳ１１０１）。
【０１２９】
決定部１１は、下り測定結果に示されるＳｅＮＢ基地局２ａ〜２ｃの各ビームパターンについての受信品質に基づいて、現在端末３と通信を行っているＳｅＮＢ基地局２ａについての受信品質が、規定された受信品質の閾値を下回った場合、または、他に受信品質の良いＳｅＮＢ基地局がある場合、ビームを使って端末３と通信を行うＳｅＮＢ基地局を切り替えることを決定する。
【０１３０】
ＭｅＮＢ基地局１では、決定部１１が、さらに、ＳｅＮＢ基地局２ａへ下り測定結果を送信することを決定し、生成部１２が、切り替え元のＳｅＮＢ基地局２ａへの切り替え指示、および、下り測定結果を示す情報要素を生成し、通信部１３が、切り替え指示、および、下り測定結果を示す情報要素を含むメッセージを、現在ビームを使って端末３と通信を行っているＳｅＮＢ基地局２ａへ送信する（ステップＳ１１０２）。
【０１３１】
切り替え元のＳｅＮＢ基地局２ａでは、決定部２１が、ＭｅＮＢ基地局１から取得した下り測定結果に基づいて、ビームを使って端末３と通信を行う切り替え先のＳｅＮＢ基地局を決定する（ステップＳ１１０３）。
【０１３２】
決定部２１は、下り測定結果に示されるＳｅＮＢ基地局２ｂ，２ｃの各ビームパターンについての受信品質に基づいて、切り替え先のＳｅＮＢ基地局をＳｅＮＢ基地局２ｂと決定する。
【０１３３】
ＳｅＮＢ基地局２ａでは、決定部２１が、さらに、ＳｅＮＢ基地局２ｂへ下り測定結果を送信することを決定し、生成部２２が、切り替え先のＳｅＮＢ基地局２ｂへの通信開始指示、および、下り測定結果を示す情報要素を生成し、通信部２３が、通信開始指示、および、下り測定結果を示す情報要素を含むメッセージを、ＭｅＮＢ基地局１経由で、ビームを使って端末３と通信を行うＳｅＮＢ基地局２ｂへ送信する（ステップＳ１１０４）。
【０１３４】
なお、図１５のステップＳ１１０４では、ＳｅＮＢ基地局２ａからＳｅＮＢ基地局２ｂへ直接メッセージを送信しているように記載しているが、ＭｅＮＢ基地局１は経由しているだけなので、記載を簡潔にするため、メッセージの送信元および送信先のみを記載する。以降で説明する図１６〜図２２においても、ＳｅＮＢ基地局２ａからＭｅＮＢ基地局１経由でＳｅＮＢ基地局２ｂへメッセージを送信する記載があるが、同様とする。
【０１３５】
ＳｅＮＢ基地局２ｂでは、決定部２１が、ＭｅＮＢ基地局１経由でＳｅＮＢ基地局２ａから取得した下り測定結果に基づいて、端末３との通信に使用するビームパターンを決定する（ステップＳ１１０５）。決定部２１は、下り測定結果に示される自局の各ビームパターンについての受信品質に基づいて、受信品質の良いビームパターンを、端末３との通信に使用するビームパターンに決定する。そして、ＳｅＮＢ基地局２ｂでは、決定したビームパターンのビームを使って端末３との通信を開始する（ステップＳ１１０６）。
【０１３６】
切り替え元のＳｅＮＢ基地局２ａでは、既存のバンドオーバーの手順により端末３との通信を終了することができるが、ＭｅＮＢ基地局１から受信した切り替え指示により、端末３との通信を終了することができる。
【０１３７】
なお、図１５に示した処理では、ＳｅＮＢ基地局２ｂにおいて使用するビームパターンを決定していたが、ＳｅＮＢ基地局２ａにおいてＳｅＮＢ基地局２ｂで使用するビームパターンを決定してもよい。
【０１３８】
図１６は、実施の形態３にかかる下り測定処理において、ＭｅＮＢ基地局１がビームを使って端末３と通信を行うＳｅＮＢ基地局を切り替えることを決定し、切り替え元である現在端末３と通信を行っているＳｅＮＢ基地局２ａが切り替え先のＳｅＮＢ基地局をＳｅＮＢ基地局２ｂにすること、切り替え先のＳｅＮＢ基地局２ｂで使用するビームパターンを決定する処理を示すシーケンス図である。ステップＳ１０１〜Ｓ１０５までは図５の処理と同様である。また、ステップＳ１２０１〜Ｓ１２０２は図１５の処理のステップＳ１１０１〜Ｓ１１０２と同様である。
【０１３９】
ＳｅＮＢ基地局２ａでは、決定部２１が、ＭｅＮＢ基地局１から取得した下り測定結果に基づいて、ビームを使って端末３と通信を行う切り替え先のＳｅＮＢ基地局、および、切り替え先のＳｅＮＢ基地局で使用するビームパターンを決定する（ステップＳ１２０３）。
【０１４０】
決定部２１は、下り測定結果に示されるＳｅＮＢ基地局２ｂ，２ｃの各ビームパターンについての受信品質に基づいて、受信品質の良いＳｅＮＢ基地局およびビームパターンを、ビームを使って端末３と通信を行う切り替え先のＳｅＮＢ基地局および切り替え先のＳｅＮＢ基地局で使用するビームパターンに決定する。決定部２１は、ここでは、切り替え先のＳｅＮＢ基地局をＳｅＮＢ基地局２ｂと決定し、さらに、ＳｅＮＢ基地局２ｂで使用するビームパターンを決定する。
【０１４１】
切り替え元のＳｅＮＢ基地局２ａでは、生成部２２が、ビームを使って端末３と通信を行う切り替え先のＳｅＮＢ基地局２ｂへの通信開始指示、および、使用するビームパターンを示す情報要素を生成し、通信部２３が、通信開始指示、および、使用するビームパターンを示す情報要素を含むメッセージを、ＭｅＮＢ基地局１経由で、ビームを使って端末３と通信を行うＳｅＮＢ基地局２ｂへ送信する（ステップＳ１２０４）。
【０１４２】
ＳｅＮＢ基地局２ｂでは、ＭｅＮＢ基地局１経由でＳｅＮＢ基地局２ａから取得した情報によるビームパターンのビームを使って端末３との通信を開始する（ステップＳ１２０５）。
【０１４３】
切り替え元のＳｅＮＢ基地局２ａでは、既存のバンドオーバーの手順により端末３との通信を終了することができるが、ＭｅＮＢ基地局１から受信した切り替え指示により、端末３との通信を終了することができる。
【０１４４】
なお、図１５，１６に示した処理では、ビームを使って端末３と通信を行うＳｅＮＢ基地局の切り替え、切り替え先のＳｅＮＢ基地局、使用するビームパターンを決定する際、下り測定結果を使用していたが、上り測定結果を使用してもよい。
【０１４５】
図１７は、実施の形態３にかかる上り測定処理において、ＭｅＮＢ基地局１がビームを使って端末３と通信を行うＳｅＮＢ基地局を切り替えることを決定し、切り替え元である現在端末３と通信を行っているＳｅＮＢ基地局２ａが切り替え先のＳｅＮＢ基地局をＳｅＮＢ基地局２ｂに決定し、切り替え先のＳｅＮＢ基地局２ｂが使用するビームパターンを決定する処理を示すシーケンス図である。ステップＳ３０１〜Ｓ３０５までは図７の処理と同様である。
【０１４６】
ＭｅＮＢ基地局１では、決定部１１が、ＳｅＮＢ基地局２ａ〜２ｃから取得した上り測定結果に基づいて、ビームを使って端末３と通信を行うＳｅＮＢ基地局を切り替えることを決定する（ステップＳ１３０１）。
【０１４７】
決定部１１は、上り測定結果に示されるＳｅＮＢ基地局２ａ〜２ｃの各ビームパターンについての受信品質に基づいて、現在通信を行っているＳｅＮＢ基地局２ａについての受信品質が、規定された受信品質の閾値を下回った場合、または、他に受信品質の良いＳｅＮＢ基地局がある場合、ビームを使って端末３と通信を行うＳｅＮＢ基地局を切り替えることを決定する。
【０１４８】
なお、ＭｅＮＢ基地局１では、ステップＳ１３０２において、上り測定結果についてはＳｅＮＢ基地局２ａからの要求により送信してもよい。ＳｅＮＢ基地局２ａから上り測定結果の転送を要求する場合、ＳｅＮＢ基地局２ａの決定部２１が他のＳｅＮＢ基地局２ｂ，２ｃの上り測定結果の転送をＭｅＮＢ基地局１へ要求することを決定し、生成部２２が上り測定結果の転送要求を示す情報要素を生成し、通信部２３が上り測定結果の転送要求を示す情報要素を含むメッセージをＭｅＮＢ基地局１へ送信する。以降の説明において、ＭｅＮＢ基地局１からＳｅＮＢ基地局側へ上り測定結果を送信する場合も同様とする。
【０１４９】
ＭｅＮＢ基地局１では、決定部１１が、さらに、ＳｅＮＢ基地局２ａへ上り測定結果を送信することを決定し、生成部１２が、切り替え元のＳｅＮＢ基地局２ａへの切り替え指示、および、上り測定結果を示す情報要素を生成し、通信部１３が、切り替え指示、および、上り測定結果を示す情報要素を含むメッセージを、現在ビームを使って端末３と通信を行っているＳｅＮＢ基地局２ａへ送信する（ステップＳ１３０２）。
【０１５０】
切り替え元のＳｅＮＢ基地局２ａでは、決定部２１が、ＭｅＮＢ基地局１から取得した上り測定結果に基づいて、ビームを使って端末３と通信を行う切り替え先のＳｅＮＢ基地局を決定する（ステップＳ１３０３）。
【０１５１】
決定部２１は、上り測定結果に示されるＳｅＮＢ基地局２ｂ，２ｃの各ビームパターンについての受信品質に基づいて、切り替え先のＳｅＮＢ基地局をＳｅＮＢ基地局２ｂと決定する。
【０１５２】
ＳｅＮＢ基地局２ａでは、生成部２２が、切り替え先のＳｅＮＢ基地局２ｂへの通信開始指示を示す情報要素を生成し、通信部２３が、通信開始指示を示す情報要素を含むメッセージを、ＭｅＮＢ基地局１経由で、ビームを使って端末３と通信を行うＳｅＮＢ基地局２ｂへ送信する（ステップＳ１３０４）。
【０１５３】
ＳｅＮＢ基地局２ｂでは、決定部２１が、自局の測定部２４で測定した結果である上り測定結果に基づいて、端末３との通信に使用するビームパターンを決定する（ステップＳ１３０５）。決定部２１は、上り測定結果に示される各ビームパターンについての受信品質に基づいて、受信品質の良いビームパターンを、端末３との通信に使用するビームパターンに決定する。そして、ＳｅＮＢ基地局２ｂでは、決定したビームパターンのビームを使って端末３との通信を開始する（ステップＳ１３０６）。
【０１５４】
切り替え元のＳｅＮＢ基地局２ａでは、既存のバンドオーバーの手順により端末３との通信を終了することができるが、ＭｅＮＢ基地局１から受信した切り替え指示により、端末３との通信を終了することができる。
【０１５５】
なお、図１７に示した処理では、ＳｅＮＢ基地局２ｂにおいて使用するビームパターンを決定していたが、ＳｅＮＢ基地局２ａにおいてＳｅＮＢ基地局２ｂで使用するビームパターンを決定してもよい。
【０１５６】
図１８は、実施の形態３にかかる上り測定処理において、ＭｅＮＢ基地局１がビームを使って端末３と通信を行うＳｅＮＢ基地局を切り替えることを決定し、切り替え元である現在端末３と通信を行っているＳｅＮＢ基地局２ａが切り替え先のＳｅＮＢ基地局をＳｅＮＢ基地局２ｂにすること、切り替え先のＳｅＮＢ基地局２ｂで使用するビームパターンを決定する処理を示すシーケンス図である。ステップＳ３０１〜Ｓ３０５までは図７の処理と同様である。また、ステップＳ１４０１〜Ｓ１４０２は図１７の処理のステップＳ１３０１〜Ｓ１３０２と同様である。
【０１５７】
ＳｅＮＢ基地局２ａでは、決定部２１が、ＭｅＮＢ基地局１から取得した上り測定結果に基づいて、ビームを使って端末３と通信を行う切り替え先のＳｅＮＢ基地局、および、切り替え先のＳｅＮＢ基地局で使用するビームパターンを決定する（ステップＳ１４０３）。
【０１５８】
決定部１１は、上り測定結果に示されるＳｅＮＢ基地局２ｂ，２ｃの各ビームパターンについての受信品質に基づいて、受信品質の良いＳｅＮＢ基地局およびビームパターンを、ビームを使って端末３と通信を行う切り替え先のＳｅＮＢ基地局および切り替え先のＳｅＮＢ基地局で使用するビームパターンに決定する。決定部１１は、ここでは、切り替え先のＳｅＮＢ基地局をＳｅＮＢ基地局２ｂと決定し、さらに、ＳｅＮＢ基地局２ｂで使用するビームパターンを決定する。
【０１５９】
ＳｅＮＢ基地局２ａでは、生成部２２が、ビームを使って端末３と通信を行う切り替え先のＳｅＮＢ基地局２ｂへの通信開始指示、および、使用するビームパターンを示す情報要素を生成し、通信部２３が、通信開始指示、および、使用するビームパターンを示す情報要素を含むメッセージを、ＭｅＮＢ基地局１経由で、ビームを使って端末３と通信を行うＳｅＮＢ基地局２ｂへ送信する（ステップＳ１４０４）。
【０１６０】
ＳｅＮＢ基地局２ｂでは、ＭｅＮＢ基地局１経由でＳｅＮＢ基地局２ａから取得した情報によるビームパターンのビームを使って端末３との通信を開始する（ステップＳ１４０５）。
【０１６１】
切り替え元のＳｅＮＢ基地局２ａでは、既存のバンドオーバーの手順により端末３との通信を終了することができるが、ＭｅＮＢ基地局１から受信した切り替え指示により、端末３との通信を終了することができる。
【０１６２】
図１１〜１８に示した処理では、ＭｅＮＢ基地局１において、少なくとも、ビームを使って端末３と通信を行うＳｅＮＢ基地局を切り替えることを決定していたが、ＭｅＮＢ基地局１では何ら決定せずに、ＳｅＮＢ基地局側で全ての決定処理を行ってもよい。
【０１６３】
図１９は、実施の形態３にかかる下り測定処理において、現在ビームを使って端末３と通信を行っているＳｅＮＢ基地局２ａが、ビームを使って端末３と通信を行うＳｅＮＢ基地局を切り替えること、切り替え先のＳｅＮＢ基地局をＳｅＮＢ基地局２ｂに決定し、切り替え先のＳｅＮＢ基地局２ｂが使用するビームパターンを決定する処理を示すシーケンス図である。ステップＳ１０１〜Ｓ１０５までは図５の処理と同様である。
【０１６４】
ＭｅＮＢ基地局１は、端末３から取得した下り測定結果を、現在ビームを使って端末３と通信を行っているＳｅＮＢ基地局２ａへ送信する（ステップＳ１５０１）。
【０１６５】
具体的に、ＭｅＮＢ基地局１では、決定部１１が下り測定結果をＳｅＮＢ基地局２ａへ送信することを決定し、生成部１２が下り測定結果を示す情報要素を生成し、通信部１３が下り測定結果を示す情報要素を含むメッセージをＳｅＮＢ基地局２ａへ送信する。ＭｅＮＢ基地局１は、自発的にＳｅＮＢ基地局２ａへメッセージを送信してもよく、ＳｅＮＢ基地局２ａから要求があった場合にＳｅＮＢ基地局２ａへメッセージを送信してもよい。ＳｅＮＢ基地局２ａから下り測定結果の転送を要求する場合、ＳｅＮＢ基地局２ａの決定部２１が下り測定結果の転送をＭｅＮＢ基地局１へ要求することを決定し、生成部２２が下り測定結果の転送要求を示す情報要素を生成し、通信部２３が下り測定結果の転送要求を示す情報要素を含むメッセージをＭｅＮＢ基地局１へ送信する。
【０１６６】
ＳｅＮＢ基地局２ａでは、決定部２１が、ＭｅＮＢ基地局１から取得した下り測定結果に基づいて、ビームを使って端末３と通信を行うＳｅＮＢ基地局を切り替えること、および、切り替え先のＳｅＮＢ基地局を決定する（ステップＳ１５０２）。
【０１６７】
決定部２１は、下り測定結果に示されるＳｅＮＢ基地局２ａ〜２ｃの各ビームパターンについての受信品質に基づいて、自局についての受信品質が、規定された受信品質の閾値を下回った場合、または、他に受信品質の良いＳｅＮＢ基地局がある場合、ビームを使って端末３と通信を行うＳｅＮＢ基地局を切り替えることを決定する。決定部１１は、下り測定結果に示されるＳｅＮＢ基地局２ｂ，２ｃの各ビームパターンについての受信品質に基づいて、切り替え先のＳｅＮＢ基地局をＳｅＮＢ基地局２ｂと決定する。
【０１６８】
切り替え元のＳｅＮＢ基地局２ａでは、決定部２１が、さらに、ＳｅＮＢ基地局２ｂへ下り測定結果を送信することを決定し、生成部２２が、切り替え先のＳｅＮＢ基地局２ｂへの通信開始指示、および、下り測定結果を示す情報要素を生成し、通信部２３が、通信開始指示、および、下り測定結果を示す情報要素を含むメッセージを、ＭｅＮＢ基地局１経由で、ビームを使って端末３と通信を行うＳｅＮＢ基地局２ｂへ送信する（ステップＳ１５０３）。
【０１６９】
ＳｅＮＢ基地局２ｂでは、決定部２１が、ＭｅＮＢ基地局１経由でＳｅＮＢ基地局２ａから取得した下り測定結果に基づいて、端末３との通信に使用するビームパターンを決定する（ステップＳ１５０４）。決定部２１は、下り測定結果に示される自局の各ビームパターンについての受信品質に基づいて、受信品質の良いビームパターンを、端末３との通信に使用するビームパターンに決定する。そして、ＳｅＮＢ基地局２ｂでは、決定したビームパターンのビームを使って端末３との通信を開始する（ステップＳ１５０５）。
【０１７０】
切り替え元のＳｅＮＢ基地局２ａでは、既存のバンドオーバーの手順により端末３との通信を終了することができるが、自局でのＳｅＮＢ基地局の切り替え決定により、端末３との通信を終了させることができる。
【０１７１】
なお、図１９に示した処理では、ＳｅＮＢ基地局２ｂにおいて使用するビームパターンを決定していたが、ＳｅＮＢ基地局２ａにおいてＳｅＮＢ基地局２ｂで使用するビームパターンを決定してもよい。
【０１７２】
図２０は、実施の形態３にかかる下り測定処理において、現在ビームを使って端末３と通信を行っているＳｅＮＢ基地局２ａが、ビームを使って端末３と通信を行うＳｅＮＢ基地局を切り替えること、切り替え先のＳｅＮＢ基地局をＳｅＮＢ基地局２ｂにすること、切り替え先のＳｅＮＢ基地局２ｂで使用するビームパターンを決定する処理を示すシーケンス図である。ステップＳ１０１〜Ｓ１０５までは図５の処理と同様である。また、ステップＳ１６０１は図１９の処理のステップＳ１５０１と同様である。
【０１７３】
ＳｅＮＢ基地局２ａでは、決定部２１が、ＭｅＮＢ基地局１から取得した下り測定結果に基づいて、ビームを使って端末３と通信を行うＳｅＮＢ基地局を切り替えること、切り替え先のＳｅＮＢ基地局、および、切り替え先のＳｅＮＢ基地局で使用するビームパターンを決定する（ステップＳ１６０２）。
【０１７４】
決定部２１は、下り測定結果に示されるＳｅＮＢ基地局２ａ〜２ｃの各ビームパターンについての受信品質に基づいて、自局についての受信品質が、規定された受信品質の閾値を下回った場合、または、他に受信品質の良いＳｅＮＢ基地局がある場合、ビームを使って端末３と通信を行うＳｅＮＢ基地局を切り替えることを決定する。決定部１１は、下り測定結果に示されるＳｅＮＢ基地局２ｂ，２ｃの各ビームパターンについての受信品質に基づいて、切り替え先のＳｅＮＢ基地局をＳｅＮＢ基地局２ｂと決定し、さらに、ＳｅＮＢ基地局２ｂで使用するビームパターンを決定する。
【０１７５】
切り替え元のＳｅＮＢ基地局２ａでは、生成部２２が、切り替え先のＳｅＮＢ基地局２ｂへの通信開始指示、および、使用するビームパターンを示す情報要素を生成し、通信部２３が、通信開始指示、および、使用するビームパターンを示す情報要素を含むメッセージを、ＭｅＮＢ基地局１経由で、ビームを使って端末３と通信を行うＳｅＮＢ基地局２ｂへ送信する（ステップＳ１６０３）。
【０１７６】
ＳｅＮＢ基地局２ｂでは、ＭｅＮＢ基地局１経由でＳｅＮＢ基地局２ａから取得した情報によるビームパターンのビームを使って端末３との通信を開始する（ステップＳ１６０４）。
【０１７７】
切り替え元のＳｅＮＢ基地局２ａでは、既存のバンドオーバーの手順により端末３との通信を終了することができるが、自局でのＳｅＮＢ基地局の切り替え決定により、端末３との通信を終了させることができる。
【０１７８】
なお、図１９，２０に示した処理では、ビームを使って端末３と通信を行うＳｅＮＢ基地局の切り替え、切り替え先のＳｅＮＢ基地局、使用するビームパターンを決定する際、下り測定結果を使用していたが、上り測定結果を使用してもよい。
【０１７９】
図２１は、実施の形態３にかかる上り測定処理において、現在ビームを使って端末３と通信を行っているＳｅＮＢ基地局２ａが、ビームを使って端末３と通信を行うＳｅＮＢ基地局を切り替えること、切り替え先のＳｅＮＢ基地局をＳｅＮＢ基地局２ｂに決定し、切り替え先のＳｅＮＢ基地局２ｂが使用するビームパターンを決定する処理を示すシーケンス図である。ステップＳ３０１〜Ｓ３０５までは図７の処理と同様である。
【０１８０】
ＭｅＮＢ基地局１は、ＳｅＮＢ基地局２ａ〜２ｃから取得した上り測定結果を、現在ビームを使って端末３と通信を行っているＳｅＮＢ基地局２ａへ送信する（ステップＳ１７０１）。ＭｅＮＢ基地局１では、ＳｅＮＢ基地局２ａに対して、ＳｅＮＢ基地局２ａ〜２ｃから取得した上り測定結果を送信してもよく、ＳｅＮＢ基地局２ａが保持している自局分を除いたＳｅＮＢ基地局２ｂ，２ｃから取得した上り測定結果を送信してもよい。
【０１８１】
具体的に、ＭｅＮＢ基地局１では、決定部１１が上り測定結果をＳｅＮＢ基地局２ａへ送信することを決定し、生成部１２が上り測定結果を示す情報要素を生成し、通信部１３が上り測定結果を示す情報要素を含むメッセージをＳｅＮＢ基地局２ａへ送信する。ＭｅＮＢ基地局１は、自発的にＳｅＮＢ基地局２ａへメッセージを送信してもよく、ＳｅＮＢ基地局２ａから要求があった場合にＳｅＮＢ基地局２ａへメッセージを送信してもよい。ＳｅＮＢ基地局２ａから上り測定結果の転送を要求する場合、ＳｅＮＢ基地局２ａの決定部２１が他のＳｅＮＢ基地局２ｂ，２ｃについての上り測定結果の転送をＭｅＮＢ基地局１へ要求することを決定し、生成部２２が上り測定結果の転送要求を示す情報要素を生成し、通信部２３が上り測定結果の転送要求を示す情報要素を含むメッセージをＭｅＮＢ基地局１へ送信する。
【０１８２】
ＳｅＮＢ基地局２ａでは、決定部２１が、ＭｅＮＢ基地局１から取得した上り測定結果に基づいて、ビームを使って端末３と通信を行うＳｅＮＢ基地局を切り替えること、および、切り替え先のＳｅＮＢ基地局を決定する（ステップＳ１７０２）。
【０１８３】
決定部２１は、上り測定結果に示されるＳｅＮＢ基地局２ａ〜２ｃの各ビームパターンについての受信品質に基づいて、自局についての受信品質が、規定された受信品質の閾値を下回った場合、または、他に受信品質の良いＳｅＮＢ基地局がある場合、ビームを使って端末３と通信を行うＳｅＮＢ基地局を切り替えることを決定する。決定部２１は、上り測定結果に示されるＳｅＮＢ基地局２ｂ，２ｃの各ビームパターンについての受信品質に基づいて、切り替え先のＳｅＮＢ基地局をＳｅＮＢ基地局２ｂと決定する。
【０１８４】
切り替え元のＳｅＮＢ基地局２ａでは、生成部２２が、切り替え先のＳｅＮＢ基地局２ｂへの通信開始指示を示す情報要素を生成し、通信部２３が、通信開始指示を示す情報要素を含むメッセージを、ＭｅＮＢ基地局１経由で、ビームを使って端末３と通信を行うＳｅＮＢ基地局２ｂへ送信する（ステップＳ１７０３）。
【０１８５】
ＳｅＮＢ基地局２ｂでは、決定部２１が、自局の測定部２４で測定した結果である上り測定結果に基づいて、端末３との通信に使用するビームパターンを決定する（ステップＳ１７０４）。決定部２１は、上り測定結果に示される各ビームパターンについての受信品質に基づいて、受信品質の良いビームパターンを、端末３との通信に使用するビームパターンに決定する。そして、ＳｅＮＢ基地局２ｂでは、決定したビームパターンのビームを使って端末３との通信を開始する（ステップＳ１７０５）。
【０１８６】
切り替え元のＳｅＮＢ基地局２ａでは、既存のバンドオーバーの手順により端末３との通信を終了することができるが、自局でのＳｅＮＢ基地局の切り替え決定により、端末３との通信を終了させることができる。
【０１８７】
なお、図２１に示した処理では、ＳｅＮＢ基地局２ｂにおいて使用するビームパターンを決定していたが、ＳｅＮＢ基地局２ａにおいてＳｅＮＢ基地局２ｂで使用するビームパターンを決定してもよい。
【０１８８】
図２２は、実施の形態３にかかる上り測定処理において、現在ビームを使って端末３と通信を行っているＳｅＮＢ基地局２ａが、ビームを使って端末３と通信を行うＳｅＮＢ基地局を切り替えること、切り替え先のＳｅＮＢ基地局をＳｅＮＢ基地局２ｂにすること、切り替え先のＳｅＮＢ基地局２ｂで使用するビームパターンを決定する処理を示すシーケンス図である。ステップＳ３０１〜Ｓ３０５までは図７の処理と同様である。また、ステップＳ１８０１は図２１の処理のステップＳ１７０１と同様である。
【０１８９】
ＳｅＮＢ基地局２ａでは、決定部２１が、ＭｅＮＢ基地局１から取得した上り測定結果に基づいて、ビームを使って端末３と通信を行うＳｅＮＢ基地局を切り替えること、切り替え先のＳｅＮＢ基地局、および、切り替え先のＳｅＮＢ基地局で使用するビームパターンを決定する（ステップＳ１８０２）。
【０１９０】
決定部２１は、上り測定結果に示されるＳｅＮＢ基地局２ａ〜２ｃの各ビームパターンについての受信品質に基づいて、自局についての受信品質が、規定された受信品質の閾値を下回った場合、または、他に受信品質の良いＳｅＮＢ基地局がある場合、ビームを使って端末３と通信を行うＳｅＮＢ基地局を切り替えることを決定する。決定部２１は、上り測定結果に示されるＳｅＮＢ基地局２ｂ，２ｃの各ビームパターンについての受信品質に基づいて、切り替え先のＳｅＮＢ基地局をＳｅＮＢ基地局２ｂと決定し、さらに、ＳｅＮＢ基地局２ｂで使用するビームパターンを決定する。
【０１９１】
切り替え元のＳｅＮＢ基地局２ａでは、生成部２２が、切り替え先のＳｅＮＢ基地局２ｂへの通信開始指示、および、使用するビームパターンを示す情報要素を生成し、通信部２３が、通信開始指示、および、使用するビームパターンを示す情報要素を含むメッセージを、ＭｅＮＢ基地局１経由で、ビームを使って端末３と通信を行うＳｅＮＢ基地局２ｂへ送信する（ステップＳ１８０３）。
【０１９２】
ＳｅＮＢ基地局２ｂでは、ＭｅＮＢ基地局１経由でＳｅＮＢ基地局２ａから取得した情報によるビームパターンのビームを使って端末３との通信を開始する（ステップＳ１８０４）。
【０１９３】
切り替え元のＳｅＮＢ基地局２ａでは、既存のバンドオーバーの手順により端末３との通信を終了することができるが、自局でのＳｅＮＢ基地局の切り替え決定により、端末３との通信を終了させることができる。
【０１９４】
以上説明したように、本実施の形態によれば、下り測定結果または上り測定結果に基づいて、ＭｅＮＢ基地局１またはＳｅＮＢ基地局２ａにおいて、ビームを使って端末３と通信を行うＳｅＮＢ基地局を切り替えることを決定し、ＭｅＮＢ基地局１またはＳｅＮＢ基地局２ａにおいて、切り替え先のＳｅＮＢ基地局２ｂを決定し、ＭｅＮＢ基地局１またはＳｅＮＢ基地局２ａ，２ｂにおいて、切り替え先のＳｅＮＢ基地局２ｂが使用するビームパターンを決定する。これにより、無線通信システム１００において、ＭｅＮＢ基地局１とＳｅＮＢ基地局２ａ〜２ｃとの間またはＳｅＮＢ基地局２ａ〜２ｃ間において効率のよいメッセージ交換によって、端末３と通信を行うＳｅＮＢ基地局を切り替え、端末３とＳｅＮＢ基地局間の通信を維持することができる。
【０１９５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１９６】
１  ＭｅＮＢ基地局、２ａ，２ｂ，２ｃ  ＳｅＮＢ基地局、３  端末、４  セル、１１，２１  決定部、１２，２２  生成部、１３，２３  通信部、１５，２５  サブアレーアンテナ、２４  測定部、１００  無線通信システム。
【図１】
2018056602.tif 000003
【図２】
2018056602.tif 000004
【図３】
2018056602.tif 000005
【図４】
2018056602.tif 000006
【図５】
2018056602.tif 000007
【図６】
2018056602.tif 000008
【図７】
2018056602.tif 000009
【図８】
2018056602.tif 000010
【図９】
2018056602.tif 000011
【図１０】
2018056602.tif 000012
【図１１】
2018056602.tif 000013
【図１２】
2018056602.tif 000014
【図１３】
2018056602.tif 000015
【図１４】
2018056602.tif 000016
【図１５】
2018056602.tif 000017
【図１６】
2018056602.tif 000018
【図１７】
2018056602.tif 000019
【図１８】
2018056602.tif 000020
【図１９】
2018056602.tif 000021
【図２０】
2018056602.tif 000022
【図２１】
2018056602.tif 000023
【図２２】
2018056602.tif 000024